(57)【要約】  本技術は、様々な運用に対応した時刻情報に関する処理を行うことができるようにする受信装置、送信装置、及び、データ処理方法に関する。受信装置は、複数の時刻情報に対応したモードに応じた時刻情報に関する処理を行うための情報を含むメタデータを受信し、受信したメタデータに基づいて、時刻情報に関する処理を行うことで、様々な運用に対応した時刻情報に関する処理を行うことができる。本技術は、例えば、テレビ受像機に適用することができる。
2017065021.tif 000002
【特許請求の範囲】
【請求項１】
複数の時刻情報に対応したモードに応じた時刻情報に関する処理を行うための情報を含むメタデータを受信する受信部と、
前記メタデータに基づいて、前記時刻情報に関する処理を行う処理部と
を備える受信装置。
【請求項２】
前記メタデータは、前記モードに応じて、不連続となる時刻情報を、連続した時刻情報に補正するための情報を含み、
前記処理部は、前記メタデータに基づいて、不連続となる時刻情報を、連続した時刻情報に補正する
請求項１に記載の受信装置。
【請求項３】
前記メタデータは、前記モードに応じて、基準となる基準時刻と、不連続となる不連続時刻とのオフセット値を含む
請求項２に記載の受信装置。
【請求項４】
前記メタデータは、前記モードに応じて、次に時刻が不連続になる日付及び時刻、並びに次に不連続になる時刻の変化量を含む
請求項３に記載の受信装置。
【請求項５】
前記不連続となる時刻情報は、うるう秒又は夏時間（DST：Daylight Saving Time）であって、
前記複数の時刻情報は、UTC(Coordinated Universal Time)、PTP(Precision Time Protocol)、又はローカル時刻のいずれかを少なくとも含む
請求項４に記載の受信装置。
【請求項６】
前記モードが、UTCに対応したモードである場合、前記オフセット値は、基準時刻とUTCとのオフセット値であって、うるう秒の積算値を表しており、
前記処理部は、前記オフセット値に応じて、うるう秒を補正する
請求項５に記載の受信装置。
【請求項７】
前記モードが、PTPに対応したモードである場合、前記オフセット値は、PTPをUTCに変換するためのオフセット値であり、
前記処理部は、前記オフセット値に応じて、PTPをUTCに変換する
請求項５に記載の受信装置。
【請求項８】
前記モードが、ローカル時刻に対応したモードである場合、前記オフセット値は、基準時刻とローカル時刻とのオフセット値であって、うるう秒の積算値と、夏時間（DST）の変動値とを加算した値を表しており、
前記処理部は、前記オフセット値に応じて、うるう秒と夏時間（DST）を補正する
請求項５に記載の受信装置。
【請求項９】
前記メタデータは、コンポーネント又は電子番組表のタイムゾーン情報を含み、
前記処理部は、前記コンポーネント又は前記電子番組表のタイムゾーン情報に応じて、前記コンポーネント又は前記電子番組表のタイムゾーンを補正する
請求項１に記載の受信装置。
【請求項１０】
前記メタデータを含む放送ストリームは、IP(Internet Protocol)伝送方式に対応した放送ストリームであって、
前記メタデータは、UDP(User Datagram Protocol)パケットを含むIPパケットに含まれる記述子、前記IPパケットを伝送するための第１の伝送パケットの拡張ヘッダ、前記第１の伝送パケットを伝送するための第２の伝送パケットの拡張ヘッダ、前記第１の伝送パケットに含まれるシグナリング、前記シグナリングのヘッダ、又は、物理層フレームに付加されている
請求項１に記載の受信装置。
【請求項１１】
受信装置のデータ処理方法において、
前記受信装置が、
複数の時刻情報に対応したモードに応じた時刻情報に関する処理を行うための情報を含むメタデータを受信し、
前記メタデータに基づいて、前記時刻情報に関する処理を行う
ステップを含むデータ処理方法。
【請求項１２】
複数の時刻情報に対応したモードに応じた時刻情報に関する処理を行うための情報を含むメタデータを生成する生成部と、
前記メタデータを送信する送信部と
送信装置。
【請求項１３】
前記メタデータは、前記モードに応じて、不連続となる時刻情報を、連続した時刻情報に補正するための情報を含む
請求項１２に記載の送信装置。
【請求項１４】
前記メタデータは、前記モードに応じて、基準となる基準時刻と、不連続となる不連続時刻とのオフセット値を含む
請求項１３に記載の送信装置。
【請求項１５】
前記不連続となる時刻情報は、うるう秒又は夏時間（DST）であって、
前記複数の時刻情報は、UTC、PTP、又はローカル時刻のいずれかを少なくとも含む
請求項１４に記載の送信装置。
【請求項１６】
前記モードが、UTCに対応したモードである場合、前記オフセット値は、基準時刻とUTCとのオフセット値であって、うるう秒の積算値を表し、
前記モードが、PTPに対応したモードである場合、前記オフセット値は、PTPをUTCに変換するためのオフセット値であり、
前記モードが、ローカル時刻に対応したモードである場合、前記オフセット値は、基準時刻とローカル時刻とのオフセット値であって、うるう秒の積算値と、夏時間（DST）の変動値とを加算した値を表している
請求項１５に記載の送信装置。
【請求項１７】
前記メタデータを含む放送ストリームは、IP伝送方式に対応した放送ストリームであって、
前記メタデータは、UDPパケットを含むIPパケットに含まれる記述子、前記IPパケットを伝送するための第１の伝送パケットの拡張ヘッダ、前記第１の伝送パケットを伝送するための第２の伝送パケットの拡張ヘッダ、前記第１の伝送パケットに含まれるシグナリング、前記シグナリングのヘッダ、又は、物理層フレームに付加されている
請求項１２に記載の送信装置。
【請求項１８】
送信装置のデータ処理方法において、
前記送信装置が、
複数の時刻情報に対応したモードに応じた時刻情報に関する処理を行うための情報を含むメタデータを生成し、
前記メタデータを送信する
ステップを含むデータ処理方法。
【請求項１９】
複数の時刻情報に対応したモードに応じた時刻情報に関する処理を行うための情報を含むメタデータであって、うるう秒の挿入又は削除を示すフラグを含む前記メタデータを受信する受信部と、
前記フラグに応じた値をカウントするカウンタと、
前記カウンタの値に応じて、前記時刻情報のうるう秒を補正する処理部と
を備える受信装置。
【請求項２０】
カウンタを有する受信装置のデータ処理方法において、
前記受信装置が、
複数の時刻情報に対応したモードに応じた時刻情報に関する処理を行うための情報を含むメタデータであって、うるう秒の挿入又は削除を示すフラグを含む前記メタデータを受信し、
前記カウンタによって、前記フラグに応じた値をカウントし、
前記カウンタの値に応じて、前記時刻情報のうるう秒を補正する
ステップを含むデータ処理方法。
【発明の詳細な説明】
【技術分野】
【０００１】
本技術は、受信装置、送信装置、及び、データ処理方法に関し、特に、様々な運用に対応した時刻情報に関する処理を行うことができるようにした受信装置、送信装置、及び、データ処理方法に関する。
【背景技術】
【０００２】
放送の分野では、送信側と受信側とで同期をとるために、時刻情報が伝送される。このような時刻情報を利用する際に、例えばうるう秒（Leap Second）や夏時間（DST：Daylight Saving Time）等により、不連続となる時間が生じてしまうと、正常な処理が行われない可能性があるため、そのための対応が必要となる。【０００３】
例えば、米国などで採用されている放送規格であるATSC(Advanced Television Systems Committee)では、夏時間（DST）に対応するための記述子（Daylight Saving Time Descriptor）が規定されている（例えば、非特許文献１参照）。
【先行技術文献】
【非特許文献】
【０００４】
【非特許文献１】ATSC Standard: Program and System Information Protocol for Terrestrial Broadcast and Cable（Doc. A65/2013）
【発明の概要】
【発明が解決しようとする課題】
【０００５】
ところで、運用によっては、使用される時刻情報が異なるため、複数の時刻情報が使用される場合でも、例えばうるう秒や夏時間（DST）等による不連続な時間に対応できるようにするための提案が要請されていた。【０００６】
本技術はこのような状況に鑑みてなされたものであり、様々な運用に対応した時刻情報に関する処理を行うことができるようにするものである。
【課題を解決するための手段】
【０００７】
本技術の第１の側面の受信装置は、複数の時刻情報に対応したモードに応じた時刻情報に関する処理を行うための情報を含むメタデータを受信する受信部と、前記メタデータに基づいて、前記時刻情報に関する処理を行う処理部とを備える受信装置である。【０００８】
本技術の第１の側面の受信装置は、独立した装置であってもよいし、１つの装置を構成している内部ブロックであってもよい。また、本技術の第１の側面のデータ処理方法は、上述した本技術の第１の側面の受信装置に対応するデータ処理方法である。【０００９】
本技術の第１の側面の受信装置、及び、データ処理方法においては、複数の時刻情報に対応したモードに応じた時刻情報に関する処理を行うための情報を含むメタデータが受信され、前記メタデータに基づいて、前記時刻情報に関する処理が行われる。【００１０】
本技術の第２の側面の送信装置は、複数の時刻情報に対応したモードに応じた時刻情報に関する処理を行うための情報を含むメタデータを生成する生成部と、前記メタデータを送信する送信部と送信装置である。【００１１】
本技術の第２の側面の送信装置は、独立した装置であってもよいし、１つの装置を構成している内部ブロックであってもよい。また、本技術の第２の側面のデータ処理方法は、上述した本技術の第２の側面の送信装置に対応するデータ処理方法である。【００１２】
本技術の第２の側面の送信装置、及び、データ処理方法においては、複数の時刻情報に対応したモードに応じた時刻情報に関する処理を行うための情報を含むメタデータが生成され、前記メタデータが送信される。【００１３】
本技術の第３の側面の受信装置は、複数の時刻情報に対応したモードに応じた時刻情報に関する処理を行うための情報を含むメタデータであって、うるう秒の挿入又は削除を示すフラグを含む前記メタデータを受信する受信部と、前記フラグに応じた値をカウントするカウンタと、前記カウンタの値に応じて、前記時刻情報のうるう秒を補正する処理部とを備える受信装置である。【００１４】
本技術の第３の側面の受信装置は、独立した装置であってもよいし、１つの装置を構成している内部ブロックであってもよい。また、本技術の第３の側面のデータ処理方法は、上述した本技術の第３の側面の受信装置に対応するデータ処理方法である。【００１５】
本技術の第３の側面の受信装置、及び、データ処理方法においては、複数の時刻情報に対応したモードに応じた時刻情報に関する処理を行うための情報を含むメタデータであって、うるう秒の挿入又は削除を示すフラグを含む前記メタデータが受信され、前記フラグに応じた値がカウントされ、前記カウンタの値に応じて、前記時刻情報のうるう秒が補正される。
【発明の効果】
【００１６】
本技術の第１の側面乃至第３の側面によれば、様々な運用に対応した時刻情報に関する処理を行うことができる。【００１７】
なお、ここに記載された効果は必ずしも限定されるものではなく、本開示中に記載されたいずれかの効果であってもよい。
【図面の簡単な説明】
【００１８】
【図１】本技術を適用した伝送システムの構成例を示す図である。
【図２】送信装置の構成例を示す図である。
【図３】受信装置の構成例を示す図である。
【図４】daylight_saving記述子を示す図である。
【図５】年間を通じてのdaylight_saving記述子の基本的な使用方法を示す図である。
【図６】時刻情報モードに対応した処理の内容を示す図である。
【図７】UTCと基準時刻との関係を示す図である。
【図８】PTPと基準時刻との関係を示す図である。
【図９】ローカル時刻と基準時刻との関係を示す図である。
【図１０】時刻情報の変換を示す図である。
【図１１】UTCのパラメータの例を示す図である。
【図１２】UTCモードＡに対応した送信側と受信側の処理の概要を示す図である。
【図１３】UTCモードＢに対応した送信側と受信側の処理の概要を示す図である。
【図１４】PTPモードＡに対応した送信側と受信側の処理の概要を示す図である。
【図１５】PTPモードＢに対応した送信側と受信側の処理の概要を示す図である。
【図１６】ローカル時刻モードＡに対応した送信側と受信側の処理の概要を示す図である。
【図１７】ローカル時刻モードＢに対応した送信側と受信側の処理の概要を示す図である。
【図１８】ローカル時刻モードＣに対応した送信側と受信側の処理の概要を示す図である。
【図１９】時刻情報メタデータを用いたうるう秒補正による時刻の調整例を示す図である。
【図２０】内部カウンタを用いたうるう秒補正による時刻の調整例を示す図である。
【図２１】時刻情報メタデータを用いたDST補正による時刻の調整例を示す図である。
【図２２】うるう秒挿入時の内部時刻とメディアタイムラインとの関係を示す図である。
【図２３】夏時間（DST）の開始時の内部時刻とメディアタイムラインとの関係を示す図である。
【図２４】時刻情報メタデータのシンタックスの例を示す図である。
【図２５】時刻情報メタデータの伝送方式の概要を示す図である。
【図２６】各レイヤの構造を示す図である。
【図２７】記述子伝送方式を説明する図である。
【図２８】ALP拡張ヘッダ伝送方式を説明する図である。
【図２９】ALP拡張ヘッダ伝送方式を説明する図である。
【図３０】L2シグナリングヘッダ伝送方式を説明する図である。
【図３１】L2シグナリングヘッダ伝送方式を説明する図である。
【図３２】L2シグナリング伝送方式を説明する図である。
【図３３】BBP拡張ヘッダ伝送方式を説明する図である。
【図３４】BBP拡張ヘッダ伝送方式を説明する図である。
【図３５】BBP拡張ヘッダ伝送方式を説明する図である。
【図３６】BBP拡張ヘッダ伝送方式を説明する図である。
【図３７】L1シグナリング伝送方式を説明する図である。
【図３８】送信側データ処理の流れを説明するフローチャートである。
【図３９】受信側データ処理の流れを説明するフローチャートである。
【図４０】コンピュータの構成例を示す図である。
【発明を実施するための形態】
【００１９】
以下、図面を参照しながら本技術の実施の形態について説明する。なお、説明は以下の順序で行うものとする。
【００２０】
１．システムの構成
２．時刻情報モードに応じた時刻情報処理
（Ａ）時刻情報モードの処理の内容
（Ｂ）うるう秒と夏時間（DST）の対応
（Ｃ）シンタックスの例
３．時刻情報メタデータの伝送方式
４．各装置で実行される処理の流れ
５．変形例
６．コンピュータの構成
【００２１】
＜１．システムの構成＞
【００２２】
（伝送システムの構成例）
図１は、本技術を適用した伝送システムの一実施の形態の構成を示す図である。なお、システムとは、複数の装置が論理的に集合したものをいう。
【００２３】
図１において、伝送システム１は、送信装置１０と受信装置２０から構成される。この伝送システム１では、次世代地上放送規格の１つであるATSC(Advanced Television Systems Committee)3.0等のデジタル放送の規格に準拠したデータ伝送が行われる。
【００２４】
送信装置１０は、ATSC3.0等のデジタル放送の規格に対応した送信機であって、放送番組等のコンテンツを含む放送ストリームを、伝送路３０を介して送信する。なお、送信装置１０の詳細な構成は、図２を参照して後述する。
【００２５】
受信装置２０は、ATSC3.0等のデジタル放送の規格に対応した受信機であって、送信装置１０から伝送路３０を介して送信されてくる放送ストリームを受信し、放送番組等のコンテンツを再生する。なお、受信装置２０の詳細な構成は、図３を参照して後述する。
【００２６】
図１の伝送システム１においては、説明を簡単にするために、受信装置２０を１つだけ図示しているが、受信装置２０は複数設けることができ、送信装置１０が送信するデジタル放送信号は、伝送路３０を介して複数の受信装置２０で同時に受信することができる。
【００２７】
また、送信装置１０複数設けることができる。複数の送信装置１０のそれぞれでは、別個のチャネルとしての、例えば、別個の周波数帯域で、放送ストリームを送信し、受信装置２０では、複数の送信装置１０のそれぞれのチャンネルの中から、放送ストリームを受信するチャネルを選択することができる。
【００２８】
さらに、図１の伝送システム１において、伝送路３０は、地上波（地上波放送）のほか、例えば、放送衛星（BS：Broadcasting Satellite）や通信衛星（CS：Communications Satellite）を利用した衛星放送、あるいは、ケーブルを用いた有線放送（CATV）などであってもよい。
【００２９】
（送信装置の構成例）
図２は、図１の送信装置１０の構成例を示す図である。
【００３０】
図２において、送信装置１０は、コンポーネント処理部１１１、ESG処理部１１２、処理部１１３、パケット処理部１１４、変調処理部１１５、及び、送信部１１６から構成される。
【００３１】
コンポーネント処理部１１１は、そこに入力されるコンテンツを取得する。ここで、コンテンツとしては、例えば、中継場所から伝送路や通信回線を介して送られてくるライブコンテンツ（例えば、スポーツ中継等の生放送番組）や、ストレージに蓄積されている収録済みコンテンツ（例えば、ドラマ等の事前収録番組）などが含まれる。
【００３２】
コンポーネント処理部１１１は、コンテンツを構成するビデオやオーディオのコンポーネントのデータを処理（例えば、エンコードなど）し、それにより得られるデータを、パケット処理部１１４に供給する。
【００３３】
ESG処理部１１２は、電子サービスガイド（電子番組表）であるESG(Electronic Service Guide)のデータを取得する。ESG処理部１１２は、ESGのデータを処理し、パケット処理部１１４に供給する。
【００３４】
処理部１１３は、シグナリングや時刻情報などの情報に関する処理を行う。処理部１１３は、シグナリング処理部１２１及び時刻情報処理部１２２を含む。
【００３５】
シグナリング処理部１２１は、シグナリングを処理（生成）し、パケット処理部１１４又は変調処理部１１５に供給する。
【００３６】
例えば、ATSC3.0では、シグナリングとして、LLS(Link Layer Signaling)シグナリングと、SLS(Service Layer Signaling)シグナリングを規定することが想定されており、先行して取得されるLLSシグナリングに記述される情報に従い、サービスごとのSLSシグナリングが取得されることになる。また、シグナリングには、物理層のシグナリング（L1シグナリング）も含まれる。
【００３７】
時刻情報処理部１２２は、時刻情報を処理（生成）して、シグナリング処理部１２１に供給する。なお、詳細は後述するが、時刻情報としては、例えば、UTC（協定世界時：Coordinated Universal Time）やPTP(Precision Time Protocol)、又はローカル時刻（LT：Local Time）が用いられる。
【００３８】
また、時刻情報処理部１２２は、複数の時刻情報に応じた時刻情報モードに対応した処理を行うための情報を含むメタデータ（以下、時刻情報メタデータという）を生成し、シグナリング処理部１２１に供給する。
【００３９】
シグナリング処理部１２１は、時刻情報処理部１２２から供給される、時刻情報又は時刻情報メタデータをシグナリングとして処理し、パケット処理部１１４又は変調処理部１１５に供給する。
【００４０】
パケット処理部１１４には、コンポーネント処理部１１１からのビデオやオーディオのコンポーネントのデータと、ESG処理部１１２からのESGのデータと、処理部１１３（のシグナリング処理部１２１）からのシグナリングのデータが供給される。パケット処理部１１４は、コンポーネント、ESG、及び、シグナリングのデータを用いて、パケットを生成する処理を行う。
【００４１】
ここでは、例えば、UDP(User Datagram Protocol)パケットを含むIP(Internet Protocol)パケット（IPパケット）が生成され、さらに、１又は複数のIPパケットがカプセル化されることで、ALP(ATSC Link-layer Protocol)パケットが生成される。パケット処理部１１４により処理されたパケットは、変調処理部１１５に供給される。例えば、シグナリング処理部１２１から供給される、時刻情報又は時刻情報メタデータを含むシグナリングは、特定のパケットの拡張ヘッダやペイロードなどに格納することができる。
【００４２】
変調処理部１１５は、パケット処理部１１４から供給されるパケットを処理することで、物理層フレームを生成して処理する。ここで、物理層フレームは、ブートストラップ（BS：Bootstrap）、プリアンブル（Preamble）、及び、データ部から構成される。例えば、時刻情報又は時刻情報メタデータを含むシグナリングは、物理層フレームのブートストラップ又はプリアンブルに含めることができる。
【００４３】
なお、変調処理部１１５では、例えば、誤り訂正符号化処理（例えば、BCH符号化やLDPC(Low Density Parity Check)符号化等）や変調処理（例えば、OFDM(Orthogonal Frequency Division Multiplexing)変調等）などの処理も行われる。変調処理部１１５により処理された信号は、送信部１１６に供給される。
【００４４】
送信部１１６は、変調処理部１１５から供給される信号を、RF(Radio Frequency)信号に変換し、アンテナ１３１を介して、デジタル放送信号として送信する。
【００４５】
送信装置１０は、以上のように構成される。なお、図２においては、説明の都合上、送信側（放送局）の送信装置１０が、あたかも１つの装置から構成されるように記載されているが、送信装置１０は、図２のブロックの各機能を有する複数の装置から構成されるようにすることができる。
【００４６】
（受信装置の構成例）
図３は、図１の受信装置２０の構成例を示す図である。
【００４７】
図３において、受信装置２０は、受信部２１１、復調処理部２１２、処理部２１３、パケット処理部２１４、コンポーネント処理部２１５、ESG処理部２１６、及び、出力部２１７から構成される。
【００４８】
受信部２１１は、アンテナ２３１を介して、デジタル放送信号を受信して、RF信号を、IF(Intermediate Frequency)信号に周波数変換し、復調処理部２１２に供給する。
【００４９】
復調処理部２１２は、受信部２１１から供給される信号を処理することで、物理層フレームを処理して、パケットを抽出する。ここで、物理層フレームは、ブートストラップ、プリアンブル、及び、データ部から構成される。例えば、物理層フレームのブートストラップ又はプリアンブルに、時刻情報又は時刻情報メタデータを含むシグナリングが含まれる場合、当該シグナリングは、処理部２１３（のシグナリング処理部２２１）に供給される。
【００５０】
なお、復調処理部２１２では、例えば、復調処理（例えばOFDM復調等）や誤り訂正復号処理（例えばLDPC復号やBCH復号等）などの処理も行われる。復調処理部２１２により処理された信号は、パケット処理部２１４に供給される。
【００５１】
パケット処理部２１４は、復調処理部２１２から供給されるパケットを処理する。ここでは、例えば、ALPパケットに対する処理が行われ、さらに、当該ALPパケットから抽出されるIPパケットに対する処理が行われる。これにより、例えば、ビデオやオーディオのコンポーネント、ESG、及び、シグナリングのデータを含むIPパケットが取得される。そして、コンポーネントのデータは、コンポーネント処理部２１５に供給され、ESGのデータは、ESG処理部２１６に供給され、シグナリングのデータは、処理部２１３（のシグナリング処理部２２１）に供給される。
【００５２】
処理部２１３は、シグナリングや時刻情報などの情報に関する処理を行う。処理部２１３は、シグナリング処理部２２１及び時刻情報処理部２２２を含む。
【００５３】
シグナリング処理部２２１には、復調処理部２１２又はパケット処理部２１４からシグナリングが供給される。復調処理部２１２からのシグナリングとしては、例えば、L1シグナリングや、時刻情報又は時刻情報メタデータを含むシグナリングがある。また、パケット処理部２１４からのシグナリングとしては、LLSシグナリングやSLSシグナリング、時刻情報又は時刻情報メタデータを含むシグナリングがある。
【００５４】
シグナリング処理部２２１は、シグナリングを処理し、例えば、その処理結果に応じて、各部の動作を制御する。また、シグナリング処理部２２１は、時刻情報又は時刻情報メタデータを含むシグナリングを処理して、時刻情報処理部２２２に供給する。
【００５５】
時刻情報処理部２２２は、シグナリング処理部２２１から供給される時刻情報又は時刻情報メタデータに基づいて、時刻情報に関する処理を行う。また、時刻情報処理部２２２は、時刻情報に関する処理の結果に応じて、コンポーネント処理部２１５又はESG処理部２１６を制御する。なお、時刻情報処理部２２２は、内部カウンタ２２２Ａを有することができる。
【００５６】
コンポーネント処理部２１５は、処理部２１３からの制御に従い、パケット処理部２１４から供給される、ビデオやオーディオのコンポーネントのデータを処理（例えば、デコードなど）し、出力部２１７に供給する。出力部２１７は、コンポーネント処理部２１５から供給されるコンポーネントのデータに対応する映像や音声を出力する。
【００５７】
ESG処理部２１６は、処理部２１３からの制御に従い、パケット処理部２１４から供給される、ESGのデータを処理し、出力部２１７に供給する。出力部２１７は、ESG処理部２１６から供給されるESGのデータに対応する電子サービスガイドを表示させる。
【００５８】
受信装置２０は、以上のように構成される。なお、受信装置２０は、テレビ受像機、セットトップボックス（STB：Set Top Box）、又は、録画機などの固定受信機のほか、携帯電話機、スマートフォン、又はタブレット端末などのモバイル受信機であってもよい。また、受信装置２０は、車両に搭載される車載機器でもよい。
【００５９】
＜２．時刻情報モードに応じた時刻情報処理＞
【００６０】
ところで、伝送システム１（図１）においては、送信側の送信装置１０と、受信側の受信装置２０とで同期をとるために、時刻情報が伝送され、この時刻情報を用いたクロック同期や提示同期などの処理が実現されている。
【００６１】
ここで、時刻情報としては、UTC（協定世界時：Coordinated Universal Time）やPTP(Precision Time Protocol)、ローカル時刻（LT：Local Time）で規定される時刻の情報を用いることができる。
【００６２】
UTC（協定世界時）は、TAI（国際原子時：International Atomic Time）に由来する原子時系の時刻で、世界時のUT1（つまり、地球の自転）に歩調を合わせるように調整された基準時刻である。現在、世界各地の標準時は、UTCを基準に決められている。
【００６３】
また、共通の標準時を使用する地域を、タイムゾーン（Time Zone）といい、その地域の標準時を示す際には、UTCとの差で表される。例えば、米国において、東部標準時（EST：Eastern Standard Time）は、UTCを５時間遅らせた標準時であり、「-0500 (EST)」のように表示される。また、例えば、米国において、太平洋標準時（PST：Pacific Standard Time）は、UTCを８時間遅らせた標準時であり、「-0800 (PST)」のように表示される。
【００６４】
PTPは、IEEE 1588-2008で規定されている80ビットの時刻を表す情報である。80ビットのPTPは、48ビットの秒フィールドと、32ビットのナノ秒フィールドで構成される。PTPでは、うるう秒が挿入又は削除されないため、その制御が容易になるというメリットがある。
【００６５】
ローカル時刻（LT）は、各タイムゾーンの標準時の時刻である。ここで、例えば、米国においては、東部標準時や太平洋標準時を使用する地域など、国内に複数のタイムゾーンが存在し、現状では、放送局（の送信装置１０）から送信されるコンテンツは、ローカル時刻に従い、エンコードされている。そのため、特に、地方局は、ローカル時刻での運用を強く望んでいるという実情がある。
【００６６】
また、時刻情報を用いた処理としては、クロック同期や提示同期、ESG(Electronic Service Guide)表示、時刻表示などの処理がある。
【００６７】
クロック同期は、送信装置１０（のクロック生成部）で生成されるシステムクロックの周波数と、受信装置２０（のクロック生成部）で生成されるシステムクロックの周波数とが、同一の周波数となることを意味する。伝送システム１において、このクロック同期が実現されていない場合、受信装置２０では、デジタル放送信号の受信を継続しているうちに、例えばフレーム飛びが発生するなどの破たんが起きるので、クロック同期を実現する必要がある。
【００６８】
提示同期は、送信装置１０（の時刻情報処理部）の時刻情報と、受信装置２０（の時刻情報処理部）の時刻情報とを合わせるとともに、コンポーネント（メディア）の提示単位ごとの時刻情報（提示時刻情報）を、コンポーネント（のデータ）を格納したパケットに付加することを意味する。伝送システム１において、この提示同期が実現されていない場合、受信装置２０では、コンテンツを再生する際に、ビデオやオーディオの同期をとって、バッファを破たんさせずに適切に提示するといったことができなくなる。
【００６９】
ESGは、OMA(Open Mobile Alliance)等の規定に準拠した電子サービスガイド（電子番組表）である。ESGは、各タイムゾーンのローカル時刻に応じた内容で表示される。すなわち、例えば、米国において、ESGのデータは、全国的に（Nation wide）に共通なものとして作成されることが想定されるが、ESGを表示する際には、各タイムゾーンのローカル時刻で表示する必要がある。
【００７０】
時刻表示は、受信装置２０の画面上に表示される時刻であって、各タイムゾーンのローカル時刻に応じた時刻で表示される。すなわち、例えば、米国においては、国内に複数のタイムゾーンが存在するため、時刻を表示する際には、各タイムゾーンのローカル時刻で表示する必要がある。
【００７１】
このように、伝送システム１においては、時刻情報として、UTCやPTP、ローカル時刻など、複数の時刻フォーマットが想定されるため、それに対応する必要がある。また、時刻フォーマットごとに、受信装置２０での処理の内容が異なるため、それにも対応する必要がある。一方で、伝送システム１において、時刻情報を取り扱う際には、うるう秒や夏時間を考慮する必要がある。
【００７２】
うるう秒は、TAI（国際原子時）と同期して進むUTCが、地球の自転速度の変化によって世界時（UT1）から長年の間に大きく狂わないように、世界的な協定に基づいてUTCに挿入又は削除される１秒をいう。例えば、UTCやローカル時刻では、うるう秒を調整する必要がある一方で、PTPでは、うるう秒を調整する必要がない。
【００７３】
夏時間（DST：Daylight Saving Time）は、１年のうち、夏を中心とした期間に、太陽の出ている時間帯を有効に利用する目的で、標準時を１時間進める制度、又はその進められた時刻を表す。ただし、一部の地域では、夏時間と通常の時間との差が１時間ではなく、30分などと規定されている場合がある。なお、夏時間は、デイライトセービングタイム（Daylight Saving Time）のほか、サマータイム（Summer Time）とも称される。
【００７４】
ここで、現状のATSCの規格では、夏時間に対応するための記述子として、daylight_saving記述子が規定されている。このdaylight_saving記述子は、図４に示すような構造を有する。
【００７５】
図４のdaylight_saving記述子において、1ビットのDS_statusは、夏時間（DST）の期間を表している。5ビットのDS_day_of_monthは、夏時間（DST）が開始する日付又は終了する日付を表している。8ビットのDS_hourは、夏時間（DST）が開始する時刻又は終了する時刻を表している。また、図５には、年間を通じてのdaylight_saving記述子（図４）の基本的な使用方法が示されている。
【００７６】
ところで、運用によっては、使用される時刻情報が異なるため、複数の時刻情報が使用される場合でも、例えばうるう秒や夏時間（DST）等による不連続な時間に対応できるようにするための提案が要請されていた。
【００７７】
そこで、本技術では、複数の時刻情報に応じた時刻情報モードを規定するとともに、複数の時刻フォーマットに対応した処理を行うための情報（例えば、うるう秒や夏時間（DST）に対応する処理を行うための情報）を含む時刻情報メタデータを伝送することで、時刻情報モードに応じて、様々な運用に対応した時刻情報に関する処理を行うことができるようにする。
【００７８】
（Ａ）時刻情報モードの処理の内容
図６は、時刻情報モードに対応した処理の内容を示す図である。
【００７９】
図６においては、時刻情報のフォーマット（時刻フォーマット）ごとに、時刻情報モードが規定されている。この時刻フォーマットとしては、UTC（協定世界時）やPTP、ローカル時刻（LT）が用いられる。
【００８０】
すなわち、時刻フォーマットが、UTCとなる場合、その時刻情報モードは、UTCモードとなる。ただし、UTCモードにおいて、コンポーネントとESGのタイムラインのタイムゾーンが、UTCであるのか、あるいはUTC以外のタイムゾーンであるのかにより、その処理の内容が異なるため、説明の便宜上、当該タイムラインのタイムゾーンが、UTCである場合のUTCモードを、UTCモードＡと称し、UTC以外のタイムゾーンである場合のUTCモードを、UTCモードＢと称して区別する。
【００８１】
また、時刻フォーマットが、PTPとなる場合には、その時刻情報モードは、PTPモードとなる。ただし、PTPモードにおいて、コンポーネントとESGのタイムラインのタイムゾーンが、UTCである場合のPTPモードを、PTPモードＡと称し、UTC以外のタイムゾーンである場合のPTPモードを、PTPモードＢと称して区別する。
【００８２】
時刻フォーマットが、ローカル時刻となる場合には、その時刻情報モードは、ローカル時刻モードとなる。ただし、ローカル時刻モードにおいて、コンポーネントとESGのタイムラインのタイムゾーンが、UTCである場合のローカル時刻モードを、ローカル時刻モードＡと称し、UTC以外のタイムゾーンである場合のローカル時刻モードを、ローカル時刻モードＢと称して区別する。
【００８３】
なお、図６には図示していないが、時刻フォーマットが、ローカル時刻となる場合であって、コンポーネントとESGのタイムラインのタイムゾーンがローカル時刻となるときがあり、このときのローカル時刻モードを、ローカル時刻モードＣと称するものとする。ローカル時刻モードＣに対応した送信側と受信側の時刻情報処理の詳細な内容については、図１８を参照して後述する。
【００８４】
（１−１）UTCモードＡ
UTCモードＡは、時刻フォーマットがUTCであって、コンポーネントとESGのタイムラインのタイムゾーンが、UTCとなる場合の時刻情報モードである。このUTCモードＡにおいては、受信装置２０で、時刻情報としてのUTCを用いたクロック同期が行われる場合に、オフセット値補正が行われ、うるう秒が補正される。
【００８５】
ここで、受信装置２０では、オフセット値補正を行う際に、送信装置１０から送られてくる時刻情報メタデータに含まれるオフセット情報（オフセット値）を用いて、オフセット値補正が行われる。このオフセット値は、UTCモードＡ（UTCモード）の場合、図７に示すように、基準時刻とUTCとの差となる。
【００８６】
図７においては、横軸は経過時間を表し、縦軸は時刻を表しているが、点線で表される基準時刻Ｌ０と、実線で表されるUTC時刻Ｌ１との差が、オフセット値Ｄとされる。ただし、基準時刻としては、例えば、PTPやTAI（国際原子時）など、うるう秒などの補正を行わない時刻フォーマットが採用される。したがって、図７に示すように、PTPなどの基準時刻Ｌ０は、リニアにカウントすることができる。
【００８７】
一方で、UTCは、うるう秒が挿入（又は削除）されるので、例えば、時刻t1と時刻t2にうるう秒が挿入されるとすれば、時刻t1でうるう秒が挿入された後のオフセット値よりも、時刻t2でうるう秒が挿入された後のオフセット値のほうが大きくなる。すなわち、UTCモードＡ（UTCモード）の場合において、オフセット値は、うるう秒の積算値となる。
【００８８】
図６の説明に戻り、UTCモードＡにおいては、コンポーネントのタイムラインと、ESGのタイムラインについては、補正が不要とされる。
【００８９】
一方で、UTCモードＡにおいては、受信装置２０で、時刻の表示（時刻表示）又はESGの表示（ESG表示）が行われる場合、タイムゾーン補正が行われ、UTCからローカル時刻に変換される。また、受信装置２０で、時刻表示又はESG表示が行われる場合に、夏時間（DST）となるときには、時刻情報メタデータに含まれる不連続時刻情報を用いたDST補正が行われ、夏時間（DST）に対応したローカル時刻が処理される。
【００９０】
また、図６には示されていないが、受信装置２０において、コンポーネントを出力する際には、内部時刻を用いた提示同期が行われる。なお、UTCモードＡに対応した送信側と受信側の時刻情報処理の詳細な内容については、図１２を参照して後述する。
【００９１】
（１−２）UTCモードＢ
UTCモードＢは、時刻フォーマットがUTCであって、コンポーネントとESGのタイムラインのタイムゾーンが、UTC以外のタイムゾーンとなる場合の時刻情報モードである。このUTCモードＢでは、UTCモードＡと同様に、受信装置２０で、クロック同期が行われる場合に、オフセット値補正が行われ、うるう秒が補正される。ただし、UTCモードＢにおいても、UTCモードＡと同様に、基準時刻（例えばPTP）とUTCとの差である、うるう秒の積算値が、オフセット値とされる。
【００９２】
また、UTCモードＢにおいては、コンポーネントとESGのタイムラインについて、タイムゾーン補正が行われる。すなわち、受信装置２０では、コンポーネントタイムゾーン補正によって、コンポーネントのタイムラインのタイムゾーン（UTC以外）が、ローカル時刻に変換される。また、受信装置２０では、ESGタイムゾーン補正によって、ESGのタイムラインのタイムゾーン（UTC以外）が、ローカル時刻に変換される。
【００９３】
一方で、受信装置２０で、時刻表示又はESG表示が行われる場合には、ESGのタイムラインについて、その前段で、タイムゾーン補正（ローカル時刻への変換）が行われているため、補正は不要とされる。
【００９４】
また、図６には示されていないが、受信装置２０において、コンポーネントを出力する際には、タイムゾーン補正（ローカル時刻への変換）が行われているコンポーネントに対して、内部時刻を用いた提示同期が行われる。なお、UTCモードＢに対応した送信側と受信側の時刻情報処理の詳細な内容については、図１３を参照して後述する。
【００９５】
（２−１）PTPモードＡ
PTPモードＡは、時刻フォーマットがPTPであって、コンポーネントとESGのタイムラインのタイムゾーンが、UTCとなる場合の時刻情報モードである。このPTPモードＡでは、時刻フォーマットにPTPを用いているため、受信装置２０で、時刻情報としてのPTPを用いたクロック同期が行われる場合に、うるう秒の補正は不要とされる。
【００９６】
この場合、PTPと基準時刻（例えば、PTPやTAIなど）との関係は、図８に示すように、実線で表されるPTP時刻Ｌ２と、点線で表される基準時刻Ｌ０とが、共にリニアにカウントされるため、オフセット値は、常に0となる。一方で、PTPモードＡ（PTPモード）の場合、時刻表示やESG表示、提示同期などを行うために、PTPをUTCに変換する必要があるため、PTPモードＡ（PTPモード）では、オフセット値として、PTPをUTCに変換するための値（PTP-UTCオフセット値）が設定されるようにする。このオフセット値は、時刻情報メタデータに含められる。
【００９７】
図６の説明に戻り、PTPモードＡにおいては、コンポーネントのタイムラインと、ESGのタイムラインについては、補正が不要とされる。
【００９８】
一方で、PTPモードＡにおいて、受信装置２０で、時刻表示又はESG表示が行われる場合には、時刻情報メタデータに含まれるオフセット情報（オフセット値）を用いたオフセット値補正が行われ、PTPがUTCに変換される。そして、受信装置２０では、タイムゾーン補正が行われ、UTCからローカル時刻に変換される。また、受信装置２０で、時刻表示又はESG表示が行われる場合に、夏時間（DST）となるときには、時刻情報メタデータに含まれる不連続時刻情報を用いたDST補正が行われ、夏時間（DST）に対応したローカル時刻が処理される。
【００９９】
なお、図６には示されていないが、受信装置２０において、コンポーネントを出力する際には、内部時刻を用いた提示同期が行われる。また、PTPモードＡに対応した送信側と受信側の時刻情報処理の詳細な内容については、図１４を参照して後述する。
【０１００】
（２−２）PTPモードＢ
PTPモードＢは、時刻フォーマットがPTPであって、コンポーネントとESGのタイムラインのタイムゾーンが、UTC以外のタイムゾーンとなる場合の時刻情報モードである。PTPモードＢでは、PTPモードＡと同様に、受信装置２０で、時刻情報としてのPTPを用いたクロック同期が行われる場合に、うるう秒の補正は不要とされる。
【０１０１】
また、PTPモードＢにおいては、コンポーネントとESGのタイムラインについて、タイムゾーン補正が行われる。すなわち、受信装置２０では、コンポーネントタイムゾーン補正によって、コンポーネントのタイムラインのタイムゾーン（UTC以外）が、ローカル時刻に変換される。また、受信装置２０では、ESGタイムゾーン補正によって、ESGのタイムラインのタイムゾーン（UTC以外）が、ローカル時刻に変換される。
【０１０２】
一方で、受信装置２０で、時刻表示又はESG表示が行われる場合には、ESGのタイムラインについて、その前段で、タイムゾーン補正（ローカル時刻への変換）が行われているため、補正は不要とされる。ただし、例えば、時刻表示が行われる場合には、時刻情報メタデータに含まれるオフセット情報（オフセット値）を用いたオフセット値補正が行われ、PTPがUTCに変換される。
【０１０３】
また、図６には示されていないが、受信装置２０において、コンポーネントを出力する際には、タイムゾーン補正（ローカル時刻への変換）が行われているコンポーネントに対して、内部時刻を用いた提示同期が行われる。なお、PTPモードＢに対応した送信側と受信側の時刻情報処理の詳細な内容については、図１５を参照して後述する。
【０１０４】
（３−１）ローカル時刻モードＡ
ローカル時刻モードＡは、時刻フォーマットがローカル時刻であって、コンポーネントとESGのタイムラインのタイムゾーンが、UTCとなる場合の時刻情報モードである。このローカル時刻モードＡにおいては、受信装置２０で、時刻情報としてのローカル時刻を用いたクロック同期が行われる場合に、オフセット補正が行われ、うるう秒と夏時間（DST）が補正される。
【０１０５】
ここで、受信装置２０では、オフセット補正を行う際に、送信装置１０から送られてくる時刻情報メタデータに含まれるオフセット情報（オフセット値）を用いて、オフセット値補正が行われる。このオフセット値は、ローカル時刻モードＡ（ローカル時刻モード）の場合、図９に示すように、基準時刻とローカル時刻との差となる。
【０１０６】
ここで、図９においては、点線で表される基準時刻Ｌ０と、実線で表されるローカル時刻Ｌ３との差が、オフセット値Ｄとされる。ただし、基準時刻Ｌ０としては、例えば、PTPが採用され、リニアにカウントすることが可能とされる。
【０１０７】
一方で、ローカル時刻は、うるう秒が挿入（又は削除）されるので、例えば、時刻t1と時刻t4にうるう秒が挿入されるとすれば、時刻t1でうるう秒が挿入された後のオフセット値よりも、時刻t4でうるう秒が挿入された後のオフセット値のほうが大きくなる。
【０１０８】
また、ローカル時刻は、夏時間（DST）を考慮する必要があるため、DST開始時刻となる時刻t2から、DST終了時刻となる時刻t3までの間の夏時間（DST）と、DST開始時刻となる時刻t5から、DST終了時刻となる時刻t6までの間の夏時間（DST）に応じて、オフセット値の値が変動することになる。すなわち、ローカル時刻モードＡ（ローカル時刻モード）の場合において、オフセット値は、うるう秒の積算値と、夏時間（DST）の変動値とを加算した値（うるう秒と夏時間（DST）の両方を含んだ値）となる。
【０１０９】
図６の説明に戻り、ローカル時刻モードＡにおいては、コンポーネントとESGのタイムラインについて、タイムゾーン補正が行われる。すなわち、受信装置２０では、コンポーネントタイムゾーン補正によって、コンポーネントのタイムラインのタイムゾーン（UTC）が、ローカル時刻に変換される。また、受信装置２０では、ESGタイムゾーン補正によって、ESGのタイムラインのタイムゾーン（UTC）が、ローカル時刻に変換される。
【０１１０】
一方で、受信装置２０で、時刻表示又はESG表示が行われる場合には、ESGのタイムラインについて、その前段で、タイムゾーン補正（ローカル時刻への変換）が行われているため、補正は不要とされる。
【０１１１】
また、図６には示されていないが、受信装置２０において、コンポーネントを出力する際には、タイムゾーン補正（ローカル時刻への変換）が行われているコンポーネントに対して、内部時刻を用いた提示同期が行われる。なお、ローカル時刻モードＡに対応した送信側と受信側の時刻情報処理の詳細な内容については、図１６を参照して後述する。
【０１１２】
（３−２）ローカル時刻モードＢ
ローカル時刻モードＢは、時刻フォーマットがローカル時刻であって、コンポーネントとESGのタイムラインのタイムゾーンが、UTC以外のタイムゾーンとなる場合の時刻情報モードである。このローカル時刻モードＢでは、ローカル時刻モードＡと同様に、受信装置２０で、クロック同期が行われる場合に、オフセット補正が行われ、うるう秒補正が行われる。ただし、ローカル時刻モードＢにおいても、ローカル時刻モードＡと同様に、基準時刻（例えばPTP）とローカル時刻との差である、うるう秒の積算値と夏時間（DST）の変動値とを加算した値（うるう秒と夏時間（DST）の両方を含んだ値）が、オフセット値とされる。
【０１１３】
また、ローカル時刻モードＢにおいては、コンポーネントとESGのタイムラインについて、タイムゾーン補正が行われる。すなわち、受信装置２０では、コンポーネントタイムゾーン補正によって、コンポーネントのタイムラインのタイムゾーン（UTC以外）が、ローカル時刻に変換される。また、受信装置２０では、ESGタイムゾーン補正によって、ESGのタイムラインのタイムゾーン（UTC以外）が、ローカル時刻に変換される。
【０１１４】
一方で、受信装置２０で、時刻表示又はESG表示が行われる場合には、ESGのタイムラインについて、その前段で、タイムゾーン補正（ローカル時刻への変換）が行われているため、補正は不要とされる。
【０１１５】
また、図６には示されていないが、受信装置２０において、コンポーネントを出力する際には、タイムゾーン補正（ローカル時刻への変換）が行われているコンポーネントに対して、内部時刻を用いた提示同期が行われる。なお、ローカル時刻モードＢに対応した送信側と受信側の時刻情報処理の詳細な内容については、図１７を参照して後述する。
【０１１６】
なお、図６において、コンポーネントタイムゾーン補正及びESGタイムゾーン補正であるが、タイムゾーンが、ローカル時刻に等しい場合には、当該補正は、不要である。また、本出願の発明者が、特願2015-157707号で提案している、物理層クロックとシステムクロックが同期するクロック同期方式を採用すれば、UTCモードと、ローカル時刻モードで行われる、時刻情報を用いたクロック同期で、オフセット値補正が不要とされる。
【０１１７】
また、図６の時刻情報モードに応じた時刻情報処理では、時刻情報メタデータに含まれるオフセット情報（オフセット値）を用いたオフセット値補正が行われるが、現状のATSCの規格で定められているdaylight_saving記述子（図４）には、夏時間（DST）の開始時刻や終了時刻に関する情報のみが含まれ、この種のオフセット情報は含まれていない。
【０１１８】
ただし、オフセット情報（オフセット値）は、時刻情報メタデータに含めて伝送するに限らず、例えば、代替の信号（例えば、Leap_Indicator）によって、受信装置２０の内部で、等価のオフセット値が算出されるようにしてもよい。
【０１１９】
また、放送局の送信装置１０から受信装置２０に送られる時刻情報は、GPS時刻から生成されるのが一般的である。ここで、GPS時刻は、GPS(Global Positioning System)を用いて測定される時刻の情報である。なお、GPS時刻では、うるう秒の調整が行われていないため、UTCなどに変換する場合には、うるう秒を調整する必要がある。
【０１２０】
例えば、図１０に示すように、送信装置１０において、時刻情報としてUTCを送信する場合には、GPS-UTC変換部１４１が、UTCパラメータ（例えば、うるう秒のオフセット値）に応じて、GPS時刻を変換することで、UTCで規定される時刻の情報が得られる。なお、図１１には、UTCパラメータの例が示されている。また、例えば、図１０に示すように、時刻情報としてローカル時刻を送信する場合には、UTC-Local変換部１４２が、タイムゾーンや夏時間（DST）などのパラメータに応じて、UTCを変換することで、ローカル時刻が得られる。
【０１２１】
なお、例えば、シグナリング生成部１４３が、MPD(Media Presentation Description)メタデータに含まれるavailabilityStartTime属性に、時刻情報を設定する際にも、タイムゾーンや夏時間（DST）などのパラメータに応じて、当該時刻情報が補正される。なお、MPDメタデータは、コンポーネント（メディア）のストリームの再生を管理するための制御情報である。また、MPDメタデータは、MPEG-DASH(Dynamic Adaptive Streaming over HTTP)の規格に準じている。
【０１２２】
次に、図１２乃至図１８を参照して、上述した時刻情報モードに対応した送信側と受信側の時刻情報処理の詳細な内容について説明する。
【０１２３】
（１−１）UTCモードＡ
図１２は、UTCモードＡに対応した送信側と受信側の処理の概要を示す図である。
【０１２４】
図１２においては、図中左側の放送局の送信装置１０から送信されるデータが、図中右側の受信装置２０により受信され、当該受信装置２０で、UTCモードＡに応じた時刻情報処理が行われる様子が表されている。
【０１２５】
なお、図１２の送信装置１０において、時刻情報変換部１５１は、図２の時刻情報処理部１２２に対応している。また、図１２の受信装置２０において、クロック同期部２５１、提示同期部２５２、及び、時刻・ESG表示処理部２５３は、図３の時刻情報処理部２２２、コンポーネント処理部２１５、及び、ESG処理部２１６などに対応している。なお、これらの関係は、後述する他の図（例えば、図１４）でも同様とされる。
【０１２６】
放送局の送信装置１０において、時刻情報変換部１５１には、GPS時刻と、オフセット情報が入力される。時刻情報変換部１５１は、UTCパラメータとしてのオフセット情報を用い、GPS時刻とUTCとの差を補正することで、GPS時刻をUTCに変換する。これにより時刻情報としてのUTCが得られる。
【０１２７】
また、送信装置１０では、時刻情報メタデータが生成される。この時刻情報メタデータには、時刻情報モード、オフセット情報、タイムゾーン情報、及び、不連続時刻情報が含まれる。
【０１２８】
ここで、時刻情報モードとしては、UTCモードが設定される。オフセット情報としては、例えば、基準時刻（例えばPTP）とUTCとのオフセット値が設定される。タイムゾーン情報としては、その地域の標準時を、UTCとの差で表した情報（UTCに対して±12）が設定される。不連続時刻情報としては、うるう秒や夏時間（DST）などの不連続となる時間に関する情報として、次に時刻が不連続になる日付や時刻、次に不連続になる時刻の変化量、不連続になる時刻の種別などが含まれる。
【０１２９】
送信装置１０は、時刻情報としてのUTCと、時刻情報メタデータを含む放送ストリームを、伝送路３０を介して受信装置２０に送信する。また、送信装置１０においては、ビデオやオーディオのコンポーネントと、ESG（のデータ）が処理され、放送ストリームに含められる。ただし、UTCモードＡの場合には、コンポーネントと、ESGのタイムラインのタイムゾーンが、UTCとされる。
【０１３０】
一方で、受信装置２０では、送信装置１０から伝送路３０を介して送信されてくる、放送ストリームが受信される。この放送ストリームには、時刻情報としてのUTCや時刻情報メタデータ、ビデオやオーディオのコンポーネントと、ESG（のデータ）などが含まれている。この例では、受信装置２０は、時刻情報メタデータに含まれる時刻情報モードに応じて、UTCモードＡ（UTCモード）で動作することになる。
【０１３１】
ここで、受信装置２０において、クロック同期部２５１には、時刻情報としてのUTCと、時刻情報メタデータに含まれるオフセット情報が入力される。クロック同期部２５１では、時刻情報としてのUTCを用いたクロック同期が行われる。
【０１３２】
ただし、クロック同期部２５１は、UTCを用いたクロック同期を行うに際し、オフセット情報（オフセット値）を用いて、オフセット値補正を行うことで、うるう秒を補正する。
【０１３３】
すなわち、ここでは、基準時刻（例えばPTP）とUTCとのオフセット値が、うるう秒の積算値を表しているので、このオフセット値を用いることで、うるう秒が補正される。つまり、ここでは、クロック同期で用いられる時刻情報は、リニアにカウントできるようにする必要があるので、オフセット値補正を行うことで、基準時刻に合わせることができる。
【０１３４】
そして、クロック同期部２５１は、内部時刻としてのUTCを、提示同期部２５２及び時刻・ESG表示処理部２５３に供給する。
【０１３５】
提示同期部２５２には、クロック同期部２５１からの内部時刻（UTC）と、タイムラインのタイムゾーンがUTCとなるコンポーネント（のデータ）と、時刻情報メタデータに含まれる不連続時刻情報が入力される。
【０１３６】
提示同期部２５２は、クロック同期部２５１からの内部時刻（UTC）を用いて、タイムラインのタイムゾーンがUTCとなるコンポーネント（のデータ）を処理することで、提示同期を実現する。そして、提示同期部２５２は、提示同期されたビデオとオーディオのコンポーネント（のデータ）を出力する。この提示同期によって、例えば、受信装置２０が、コンテンツを再生する際に、ビデオやオーディオの同期をとって、バッファを破たんさせずに適切に提示することが可能となる。
【０１３７】
なお、提示同期部２５２は、提示同期を行う際に、必要に応じて、不連続時刻情報として入力される、うるう秒に関する情報（例えば、次のうるう秒の調整が行われる日付や時刻などの情報）を用いた処理を行うことができる。
【０１３８】
時刻・ESG表示処理部２５３には、クロック同期部２５１からの内部時刻（UTC）と、タイムラインのタイムゾーンがUTCとなるESG（のデータ）と、時刻情報メタデータに含まれるタイムゾーン情報及び不連続時刻情報が入力される。
【０１３９】
時刻・ESG表示処理部２５３は、時刻表示が行われる場合、タイムゾーン情報に基づいて、タイムゾーン補正を行い、内部時刻（UTC）を、ローカル時刻に変換する。そして、時刻・ESG表示処理部２５３は、ローカル時刻に対応した時刻を表示させる。
【０１４０】
また、時刻・ESG表示処理部２５３は、ESG表示が行われる場合、タイムゾーン情報に基づいて、タイムゾーン補正を行い、タイムラインのタイムゾーンがUTCとなるESG（のデータ）を処理することで、ESGのタイムゾーン（UTC）を、ローカル時刻に変換する。そして、時刻・ESG表示処理部２５３は、ローカル時刻に対応したESGを表示させる。
【０１４１】
さらに、時刻・ESG表示処理部２５３は、時刻表示又はESG表示が行われる場合に、夏時間（DST）となるときには、不連続時刻情報（例えば、次の夏時間（DST）の日付や時刻、その期間などの情報）に基づいて、DST補正を行い、夏時間（DST）に対応したローカル時刻で処理されるようにする。このDST補正では、例えば、標準時（ローカル時刻）が１時間進められ、夏時間（DST）に対応したローカル時刻での処理が可能とされる。
【０１４２】
以上のように、UTCモードＡにおいては、送信装置１０が、時刻情報としてのUTCとともに、UTCモードＡに対応した時刻情報処理を行うための情報（例えばオフセット情報など）を含む時刻情報メタデータを伝送することで、受信装置２０では、当該時刻情報メタデータを用いて、UTCモードＡに応じた時刻情報処理を行うことができる。
【０１４３】
（１−２）UTCモードＢ
図１３は、UTCモードＢに対応した送信側と受信側の処理の概要を示す図である。
【０１４４】
図１３においては、図中左側の放送局の送信装置１０から送信されるデータが、図中右側の受信装置２０により受信され、当該受信装置２０で、UTCモードＢに応じた時刻情報処理が行われる様子が表されている。
【０１４５】
なお、図１３の送信装置１０において、時刻情報変換部１５１は、図２の時刻情報処理部１２２に対応している。また、図１３の受信装置２０において、クロック同期部２５１、提示同期部２５２、時刻・ESG表示処理部２５３、コンポーネントタイムゾーン補正部２５４、及び、ESGタイムゾーン補正部２５５は、図３の時刻情報処理部２２２、コンポーネント処理部２１５、及び、ESG処理部２１６などに対応している。なお、これらの関係は、後述する他の図（例えば、図１５乃至図１７）でも同様とされる。
【０１４６】
放送局の送信装置１０において、時刻情報変換部１５１は、UTCパラメータとしてのオフセット情報を用いて、GPS時刻とUTCとの差を補正することで、GPS時刻をUTCに変換する。これにより時刻情報としてのUTCが得られる。
【０１４７】
また、送信装置１０では、時刻情報メタデータが生成される。この時刻情報メタデータには、時刻情報モード、オフセット情報、コンポーネントタイムゾーン情報、タイムゾーン情報、不連続時刻情報、及び、ESGタイムゾーン情報が含まれる。
【０１４８】
ここで、時刻情報モード、オフセット情報、タイムゾーン情報、及び、不連続時刻情報は、上述したUTCモードＡ（図１２）と同様であるため、その説明は省略する。また、コンポーネントタイムゾーン情報は、コンポーネントのタイムゾーンが設定される。ESGタイムゾーン情報は、ESGのタイムゾーンが設定される。
【０１４９】
送信装置１０は、時刻情報としてのUTCと、時刻情報メタデータを含む放送ストリームを、伝送路３０を介して受信装置２０に送信する。また、送信装置１０においては、ビデオやオーディオのコンポーネントと、ESG（のデータ）が処理され、放送ストリームに含められる。ただし、UTCモードＢの場合には、コンポーネントと、ESGのタイムラインのタイムゾーンが、UTC以外のタイムゾーンとされる。
【０１５０】
一方で、受信装置２０では、送信装置１０から伝送路３０を介して送信されてくる、放送ストリームが受信される。この放送ストリームには、時刻情報としてのUTCや時刻情報メタデータ、ビデオやオーディオのコンポーネントと、ESG（のデータ）などが含まれている。受信装置２０は、時刻情報メタデータに含まれる時刻情報モードに応じて、UTCモードＢ（UTCモード）で動作することになる。
【０１５１】
ここで、受信装置２０において、クロック同期部２５１には、時刻情報としてのUTCと、時刻情報メタデータに含まれるオフセット情報が入力される。クロック同期部２５１においては、時刻情報としてのUTCを用いたクロック同期が行われる。
【０１５２】
ただし、クロック同期部２５１は、UTCを用いたクロック同期を行うに際し、オフセット情報（オフセット値）を用いて、オフセット値補正を行うことで、うるう秒を補正する。すなわち、ここでは、基準時刻（例えばPTP）とUTCとのオフセット値が、うるう秒の積算値を表しているので、このオフセット値を用いることで、うるう秒が補正される。
【０１５３】
そして、クロック同期部２５１は、内部時刻としてのUTCを、提示同期部２５２及び時刻・ESG表示処理部２５３に供給する。
【０１５４】
コンポーネントタイムゾーン補正部２５４には、タイムラインのタイムゾーンが、UTC以外のタイムゾーンとなるコンポーネント（のデータ）と、時刻情報メタデータに含まれるコンポーネントタイムゾーン情報及びタイムゾーン情報が入力される。
【０１５５】
コンポーネントタイムゾーン補正部２５４は、コンポーネントタイムゾーン情報及びタイムゾーン情報に基づいて、コンポーネントタイムゾーン補正を行い、コンポーネントのタイムゾーン（UTC以外）を、ローカル時刻に変換する。そして、コンポーネントタイムゾーン補正部２５４は、タイムゾーン補正後のコンポーネント（のデータ）を、提示同期部２５２に供給する。
【０１５６】
提示同期部２５２には、クロック同期部２５１からの内部時刻（UTC）と、コンポーネントタイムゾーン補正部２５４からのコンポーネント（のデータ）と、時刻情報メタデータに含まれる不連続時刻情報が入力される。
【０１５７】
提示同期部２５２は、クロック同期部２５１からの内部時刻（UTC）に応じて、タイムラインのタイムゾーンがローカル時刻となるコンポーネント（のデータ）を処理することで、提示同期を実現する。そして、提示同期部２５２は、提示同期されたビデオとオーディオのコンポーネント（のデータ）を出力する。なお、提示同期部２５２は、提示同期を行う際に、必要に応じて、不連続時刻情報（例えば、うるう秒に関する情報）を用いた処理を行うことができる。
【０１５８】
ESGタイムゾーン補正部２５５には、タイムラインのタイムゾーンが、UTC以外のタイムゾーンとなるESG（のデータ）と、時刻情報メタデータに含まれるESGタイムゾーン情報及びタイムゾーン情報が入力される。
【０１５９】
ESGタイムゾーン補正部２５５は、ESGタイムゾーン情報及びタイムゾーン情報に基づいて、ESGタイムゾーン補正を行い、ESGのタイムゾーン（UTC以外）を、ローカル時刻に変換する。そして、ESGタイムゾーン補正部２５５は、タイムゾーン補正後のESG（のデータ）を、時刻・ESG表示処理部２５３に供給する。
【０１６０】
時刻・ESG表示処理部２５３には、クロック同期部２５１からの内部時刻（UTC）と、ESGタイムゾーン補正部２５５からのESG（のデータ）と、時刻情報メタデータに含まれる不連続時刻情報が入力される。
【０１６１】
時刻・ESG表示処理部２５３は、時刻表示が行われる場合、例えば、内部時刻（UTC）とESG（のデータ）を処理することで、ローカル時刻に対応した時刻を表示させる。また、時刻・ESG表示処理部２５３は、ESG表示が行われる場合、タイムラインのタイムゾーンがローカル時刻となるESG（のデータ）を処理することで、ローカル時刻に対応したESGを表示させる。
【０１６２】
なお、時刻・ESG表示処理部２５３は、時刻表示又はESG表示を行う際に、必要に応じて、不連続時刻情報（例えば、うるう秒に関する情報）を用いた処理を行うことができる。
【０１６３】
以上のように、UTCモードＢにおいては、送信装置１０が、時刻情報としてのUTCとともに、UTCモードＢに対応した時刻情報処理を行うための情報（例えばオフセット情報など）を含む時刻情報メタデータを伝送することで、受信装置２０では、当該時刻情報メタデータを用いて、UTCモードＢに応じた時刻情報処理を行うことができる。
【０１６４】
（２−１）PTPモードＡ
図１４は、PTPモードＡに対応した送信側と受信側の処理の概要を示す図である。
【０１６５】
図１４においては、図中左側の放送局の送信装置１０から送信されるデータが、図中右側の受信装置２０により受信され、当該受信装置２０でPTPモードＡに応じた時刻情報処理が行われる様子が表されている。
【０１６６】
放送局の送信装置１０において、時刻情報変換部１５１は、そこに入力されるGPS時刻を、PTPに変換する。これにより時刻情報としてのPTPが得られる。
【０１６７】
また、送信装置１０では、時刻情報メタデータが生成される。この時刻情報メタデータには、時刻情報モード、オフセット情報、タイムゾーン情報、及び、不連続時刻情報が含まれる。ここで、時刻情報モードとしては、PTPモードが設定される。オフセット情報としては、PTPをUTCに変換するための値（PTP-UTCオフセット値）が設定される。
【０１６８】
送信装置１０は、時刻情報としてのPTPと、時刻情報メタデータを含む放送ストリームを、伝送路３０を介して受信装置２０に送信する。また、送信装置１０においては、ビデオやオーディオのコンポーネントと、ESG（のデータ）が処理され、放送ストリームに含められる。ただし、PTPモードＡの場合には、コンポーネントと、ESGのタイムラインのタイムゾーンが、UTCとされる。
【０１６９】
一方で、受信装置２０では、送信装置１０から伝送路３０を介して送信されてくる、放送ストリームが受信される。この放送ストリームには、時刻情報としてのPTPや時刻情報メタデータ、ビデオやオーディオのコンポーネントと、ESG（のデータ）などが含まれている。受信装置２０は、時刻情報メタデータに含まれる時刻情報モードに応じて、PTPモードＡ（PTPモード）で動作することになる。
【０１７０】
ここで、受信装置２０においては、クロック同期部２５１によって、時刻情報としてのPTPを用いたクロック同期が行われる。ただし、時刻情報として、PTPを用いた場合には、クロック同期において、うるう秒の補正を行う必要はない。クロック同期部２５１は、内部時刻としてのPTPを、提示同期部２５２及び時刻・ESG表示処理部２５３に供給する。
【０１７１】
提示同期部２５２には、クロック同期部２５１からの内部時刻（PTP）と、タイムラインのタイムゾーンがUTCとなるコンポーネント（のデータ）と、時刻情報メタデータに含まれるオフセット情報及び不連続時刻情報が入力される。
【０１７２】
提示同期部２５２は、オフセット情報に含まれるPTP-UTCオフセット値を用いて、オフセット値補正を行い、クロック同期部２５１からの内部時刻（PTP）を、UTCに変換する。提示同期部２５２は、内部時刻（PTP）を変換して得られるUTCを用いて、タイムラインのタイムゾーンがUTCとなるコンポーネント（のデータ）を処理することで、提示同期を実現する。そして、提示同期部２５２は、提示同期されたビデオとオーディオのコンポーネント（のデータ）を出力する。
【０１７３】
なお、提示同期部２５２は、提示同期を行う際に、必要に応じて、不連続時刻情報（例えば、うるう秒に関する情報）を用いた処理を行うことができる。
【０１７４】
時刻・ESG表示処理部２５３には、クロック同期部２５１からの内部時刻（PTP）と、タイムラインのタイムゾーンがUTCとなるESG（のデータ）と、時刻情報メタデータに含まれる、オフセット情報、タイムゾーン情報、及び、不連続時刻情報が入力される。
【０１７５】
時刻・ESG表示処理部２５３は、時刻表示又はESG表示が行われる場合、オフセット情報に含まれるPTP-UTCオフセット値を用いて、オフセット値補正を行い、クロック同期部２５１からの内部時刻（PTP）を、UTCに変換する。
【０１７６】
そして、時刻・ESG表示処理部２５３は、時刻表示が行われる場合、タイムゾーン情報に基づいて、タイムゾーン補正を行い、内部時刻（PTP）を変換して得られるUTCを、ローカル時刻に変換する。そして、時刻・ESG表示処理部２５３は、ローカル時刻に対応した時刻を表示させる。
【０１７７】
また、時刻・ESG表示処理部２５３は、ESG表示が行われる場合、タイムゾーン情報に基づいて、タイムゾーン補正を行い、タイムラインのタイムゾーンがUTCとなるESG（のデータ）を処理することで、ESGのタイムゾーン（UTC）を、ローカル時刻に変換する。そして、時刻・ESG表示処理部２５３は、ローカル時刻に対応したESGを表示させる。
【０１７８】
さらに、時刻・ESG表示処理部２５３は、時刻表示又はESG表示が行われる場合に、夏時間（DST）となるときには、不連続時刻情報（例えば、次の夏時間（DST）の日付や時刻、その期間などの情報）に基づいて、DST補正を行い、夏時間（DST）に対応したローカル時刻で処理されるようにする。
【０１７９】
以上のように、PTPモードＡにおいては、送信装置１０が、時刻情報としてのPTPとともに、PTPモードＡに対応した時刻情報処理を行うための情報（例えばオフセット情報など）を含む時刻情報メタデータを伝送することで、受信装置２０では、当該時刻情報メタデータを用いて、PTPモードＡに応じた時刻情報処理を行うことができる。
【０１８０】
（２−２）PTPモードＢ
図１５は、PTPモードＢに対応した送信側と受信側の処理の概要を示す図である。
【０１８１】
図１５においては、図中左側の放送局の送信装置１０から送信されるデータが、図中右側の受信装置２０により受信され、当該受信装置２０で、PTPモードＢに応じた時刻情報処理が行われる様子が表されている。
【０１８２】
放送局の送信装置１０において、時刻情報変換部１５１は、そこに入力されるGPS時刻を、PTPに変換する。これにより時刻情報としてのPTPが得られる。
【０１８３】
また、送信装置１０では、時刻情報メタデータが生成される。この時刻情報メタデータには、時刻情報モード、オフセット情報、コンポーネントタイムゾーン情報、タイムゾーン情報、不連続時刻情報、及び、ESGタイムゾーン情報が含まれる。ここで、時刻情報モードとしては、PTPモードが設定される。オフセット情報としては、PTPをUTCに変換するための値（PTP-UTCオフセット値）が設定される。
【０１８４】
送信装置１０は、時刻情報としてのPTPと、時刻情報メタデータを含む放送ストリームを、伝送路３０を介して受信装置２０に送信する。また、送信装置１０においては、ビデオやオーディオのコンポーネントと、ESG（のデータ）が処理され、放送ストリームに含められる。ただし、PTPモードＢの場合には、コンポーネントと、ESGのタイムラインのタイムゾーンが、UTC以外のタイムゾーンとされる。
【０１８５】
一方で、受信装置２０では、送信装置１０から伝送路３０を介して送信されてくる、放送ストリームが受信される。この放送ストリームには、時刻情報としてのPTPや時刻情報メタデータ、ビデオやオーディオのコンポーネントと、ESG（のデータ）などが含まれている。受信装置２０は、時刻情報メタデータに含まれる時刻情報モードに応じて、PTPモードＢ（PTPモード）で動作することになる。
【０１８６】
ここで、受信装置２０においては、上述したPTPモードＡ（図１４）と同様に、クロック同期部２５１によって、時刻情報としてのPTPを用いたクロック同期が行われる。クロック同期部２５１は、内部時刻としてのPTPを、提示同期部２５２及び時刻・ESG表示処理部２５３に供給する。
【０１８７】
コンポーネントタイムゾーン補正部２５４には、タイムラインのタイムゾーンが、UTC以外のタイムゾーンとなるコンポーネント（のデータ）と、時刻情報メタデータに含まれるコンポーネントタイムゾーン情報及びタイムゾーン情報が入力される。
【０１８８】
コンポーネントタイムゾーン補正部２５４は、コンポーネントタイムゾーン情報及びタイムゾーン情報に基づいて、コンポーネントタイムゾーン補正を行い、コンポーネントのタイムゾーン（UTC以外）を、ローカル時刻に変換する。そして、コンポーネントタイムゾーン補正部２５４は、タイムゾーン補正後のコンポーネント（のデータ）を、提示同期部２５２に供給する。
【０１８９】
提示同期部２５２には、クロック同期部２５１からの内部時刻（PTP）と、コンポーネントタイムゾーン補正部２５４からのコンポーネント（のデータ）と、時刻情報メタデータに含まれるオフセット情報及び不連続時刻情報が入力される。
【０１９０】
提示同期部２５２は、オフセット情報に含まれるPTP-UTCオフセット値を用いて、オフセット値補正を行い、クロック同期部２５１からの内部時刻（PTP）を、UTCに変換する。提示同期部２５２は、内部時刻（PTP）を変換して得られるUTCを用いて、タイムラインのタイムゾーンがローカル時刻となるコンポーネント（のデータ）を処理することで、提示同期を実現する。そして、提示同期部２５２は、提示同期されたビデオとオーディオのコンポーネント（のデータ）を出力する。
【０１９１】
ESGタイムゾーン補正部２５５には、タイムラインのタイムゾーンが、UTC以外のタイムゾーンとなるESG（のデータ）と、時刻情報メタデータに含まれるESGタイムゾーン情報及びタイムゾーン情報が入力される。
【０１９２】
ESGタイムゾーン補正部２５５は、ESGタイムゾーン情報及びタイムゾーン情報に基づいて、ESGタイムゾーン補正を行い、ESGのタイムゾーン（UTC以外）を、ローカル時刻に変換する。そして、ESGタイムゾーン補正部２５５は、タイムゾーン補正後のESG（のデータ）を、時刻・ESG表示処理部２５３に供給する。
【０１９３】
時刻・ESG表示処理部２５３には、クロック同期部２５１からの内部時刻（PTP）と、ESGタイムゾーン補正部２５５からのESG（のデータ）と、時刻情報メタデータに含まれるオフセット情報及び不連続時刻情報が入力される。
【０１９４】
時刻・ESG表示処理部２５３は、時刻表示が行われる場合、オフセット情報に含まれるPTP-UTCオフセット値を用いて、オフセット値補正を行い、クロック同期部２５１からの内部時刻（PTP）を、UTCに変換する。そして、時刻・ESG表示処理部２５３は、例えば、内部時刻（PTP）を変換して得られるUTCと、ESG（のデータ）を処理することで、ローカル時刻に対応した時刻を表示させる。
【０１９５】
また、時刻・ESG表示処理部２５３は、ESG表示が行われる場合、タイムラインのタイムゾーンがローカル時刻となるESG（のデータ）を処理することで、ローカル時刻に対応したESGを表示させる。
【０１９６】
なお、時刻・ESG表示処理部２５３は、時刻表示又はESG表示を行う際に、必要に応じて、不連続時刻情報（例えば、うるう秒に関する情報）を用いた処理を行うことができる。
【０１９７】
以上のように、PTPモードＢにおいては、送信装置１０が、時刻情報としてのPTPとともに、PTPモードＢに対応した時刻情報処理を行うための情報（例えばオフセット情報など）を含む時刻情報メタデータを伝送することで、受信装置２０では、当該時刻情報メタデータを用いて、PTPモードＢに応じた時刻情報処理を行うことができる。
【０１９８】
（３−１）ローカル時刻モードＡ
図１６は、ローカル時刻モードＡに対応した送信側と受信側の処理の概要を示す図である。
【０１９９】
図１６においては、図中左側の放送局の送信装置１０から送信されるデータが、図中右側の受信装置２０により受信され、当該受信装置２０でローカル時刻モードＡに応じた時刻情報処理が行われる様子が表されている。
【０２００】
放送局の送信装置１０において、時刻情報変換部１５１は、オフセット情報を用いて、GPS時刻とローカル時刻との差を補正することで、GPS時刻をローカル時刻に変換する。これにより時刻情報としてのローカル時刻が得られる。
【０２０１】
また、送信装置１０では、時刻情報メタデータが生成される。この時刻情報メタデータには、時刻情報モード、オフセット情報、タイムゾーン情報、及び、不連続時刻情報が含まれる。ここで、時刻情報モードとしては、ローカル時刻モードが設定される。オフセット情報としては、例えば、基準時刻（例えばPTP）とローカル時刻とのオフセット値が設定される。
【０２０２】
送信装置１０は、時刻情報としてのローカル時刻と、時刻情報メタデータを含む放送ストリームを、伝送路３０を介して受信装置２０に送信する。また、送信装置１０においては、ビデオやオーディオのコンポーネントと、ESG（のデータ）が処理され、放送ストリームに含められる。ただし、ローカル時刻モードＡの場合には、コンポーネントと、ESGのタイムラインのタイムゾーンが、UTCとされる。
【０２０３】
一方で、受信装置２０では、送信装置１０から伝送路３０を介して送信されてくる、放送ストリームが受信される。この放送ストリームには、時刻情報としてのローカル時刻や時刻情報メタデータ、ビデオやオーディオのコンポーネントと、ESG（のデータ）などが含まれている。受信装置２０は、時刻情報メタデータに含まれる時刻情報モードに応じて、ローカル時刻モードＡ（ローカル時刻モード）で動作することになる。
【０２０４】
ここで、受信装置２０において、クロック同期部２５１には、時刻情報としてのローカル時刻と、時刻情報メタデータに含まれるオフセット情報が入力される。クロック同期部２５１では、時刻情報としてのローカル時刻を用いたクロック同期が行われる。
【０２０５】
ただし、クロック同期部２５１は、ローカル時刻を用いたクロック同期を行うに際し、オフセット情報（オフセット値）を用いて、オフセット値補正を行うことで、うるう秒と夏時間（DST）を補正する。
【０２０６】
すなわち、ここでは、基準時刻（例えばPTP）とローカル時刻とのオフセット値が、うるう秒の積算値と、夏時間（DST）の変動値とを加算した値（うるう秒と夏時間（DST）の両方を含んだ値）を表しているので、このオフセット値を用いることで、うるう秒と夏時間（DST）の両方が補正される。つまり、ここでは、クロック同期で用いられる時刻情報は、リニアにカウントできるようにする必要があるので、オフセット値補正を行うことで、基準時刻に合わせることができる。
【０２０７】
そして、クロック同期部２５１は、内部時刻としてのローカル時刻を、提示同期部２５２及び時刻・ESG表示処理部２５３に供給する。
【０２０８】
コンポーネントタイムゾーン補正部２５４には、タイムラインのタイムゾーンが、UTCとなるコンポーネント（のデータ）と、時刻情報メタデータに含まれるタイムゾーン情報が入力される。
【０２０９】
コンポーネントタイムゾーン補正部２５４は、タイムゾーン情報に基づいて、コンポーネントタイムゾーン補正を行い、コンポーネントのタイムゾーン（UTC）を、ローカル時刻に変換する。そして、コンポーネントタイムゾーン補正部２５４は、タイムゾーン補正後のコンポーネント（のデータ）を、提示同期部２５２に供給する。
【０２１０】
提示同期部２５２には、クロック同期部２５１からの内部時刻（ローカル時刻）と、コンポーネントタイムゾーン補正部２５４からのコンポーネント（のデータ）と、時刻情報メタデータに含まれる不連続時刻情報が入力される。
【０２１１】
提示同期部２５２は、クロック同期部２５１からの内部時刻（ローカル時刻）を用いて、タイムラインのタイムゾーンがローカル時刻となるコンポーネント（のデータ）を処理することで、提示同期を実現する。そして、提示同期部２５２は、提示同期されたビデオとオーディオのコンポーネント（のデータ）を出力する。なお、提示同期部２５２は、提示同期を行う際に、必要に応じて、不連続時刻情報（例えば、うるう秒に関する情報）を用いた処理を行うことができる。
【０２１２】
ESGタイムゾーン補正部２５５には、タイムラインのタイムゾーンが、UTCとなるESG（のデータ）と、時刻情報メタデータに含まれるタイムゾーン情報が入力される。
【０２１３】
ESGタイムゾーン補正部２５５は、タイムゾーン情報に基づいて、ESGタイムゾーン補正を行い、ESGのタイムゾーン（UTC）を、ローカル時刻に変換する。そして、ESGタイムゾーン補正部２５５は、タイムゾーン補正後のESG（のデータ）を、時刻・ESG表示処理部２５３に供給する。
【０２１４】
時刻・ESG表示処理部２５３には、クロック同期部２５１からの内部時刻（ローカル時刻）と、ESGタイムゾーン補正部２５５からのESG（のデータ）と、時刻情報メタデータに含まれる不連続時刻情報が入力される。
【０２１５】
時刻・ESG表示処理部２５３は、時刻表示が行われる場合、クロック同期部２５１からの内部時刻（ローカル時刻）を処理することで、ローカル時刻に対応した時刻を表示させる。また、時刻・ESG表示処理部２５３は、ESG表示が行われる場合、タイムラインのタイムゾーンがローカル時刻となるESG（のデータ）を処理することで、ローカル時刻に対応したESGを表示させる。
【０２１６】
なお、時刻・ESG表示処理部２５３は、時刻表示又はESG表示を行う際に、必要に応じて、不連続時刻情報（例えば、うるう秒に関する情報）を用いた処理を行うことができる。
【０２１７】
以上のように、ローカル時刻モードＡにおいては、送信装置１０が、時刻情報としてのローカル時刻とともに、ローカル時刻モードＡに対応した時刻情報処理を行うための情報（例えばオフセット情報など）を含む時刻情報メタデータを伝送することで、受信装置２０では、当該時刻情報メタデータを用いて、ローカル時刻モードＡに応じた時刻情報処理を行うことができる。
【０２１８】
（３−２）ローカル時刻モードＢ
図１７は、ローカル時刻モードＢに対応した送信側と受信側の処理の概要を示す図である。
【０２１９】
図１７においては、図中左側の放送局の送信装置１０から送信されるデータが、図中右側の受信装置２０により受信され、当該受信装置２０でローカル時刻モードＢに応じた時刻情報処理が行われる様子が表されている。
【０２２０】
放送局の送信装置１０において、時刻情報変換部１５１は、オフセット情報を用いて、GPS時刻とローカル時刻との差を補正することで、GPS時刻をローカル時刻に変換する。これにより時刻情報としてのローカル時刻が得られる。
【０２２１】
また、送信装置１０では、時刻情報メタデータが生成される。この時刻情報メタデータには、時刻情報モード、オフセット情報、コンポーネントタイムゾーン情報、タイムゾーン情報、不連続時刻情報、及び、ESGタイムゾーン情報が含まれる。ここで、時刻情報モードとしては、ローカル時刻モードが設定される。オフセット情報としては、例えば、基準時刻（例えばPTP）とローカル時刻とのオフセット値が設定される。
【０２２２】
送信装置１０は、時刻情報としてのローカル時刻と、時刻情報メタデータを含む放送ストリームを、伝送路３０を介して受信装置２０に送信する。また、送信装置１０においては、ビデオやオーディオのコンポーネントと、ESG（のデータ）が処理され、放送ストリームに含められる。ただし、ローカル時刻モードＢの場合には、コンポーネントと、ESGのタイムラインのタイムゾーンが、UTC以外のタイムゾーンとされる。
【０２２３】
一方で、受信装置２０では、送信装置１０から伝送路３０を介して送信されてくる、放送ストリームが受信される。この放送ストリームには、時刻情報としてのローカル時刻や時刻情報メタデータ、ビデオやオーディオのコンポーネントと、ESG（のデータ）などが含まれている。受信装置２０は、時刻情報メタデータに含まれる時刻情報モードに応じて、ローカル時刻モードＢ（ローカル時刻モード）で動作することになる。
【０２２４】
ここで、受信装置２０において、クロック同期部２５１には、時刻情報としてのローカル時刻と、時刻情報メタデータに含まれるオフセット情報が入力される。クロック同期部２５１では、時刻情報としてのローカル時刻を用いたクロック同期が行われる。
【０２２５】
ただし、クロック同期部２５１は、ローカル時刻を用いたクロック同期を行うに際し、オフセット情報（オフセット値）を用いて、オフセット値補正を行うことで、うるう秒と夏時間（DST）を補正する。すなわち、基準時刻（例えばPTP）とローカル時刻とのオフセット値が、うるう秒の積算値と、夏時間（DST）の変動値とを加算した値（うるう秒と夏時間（DST）の両方を含んだ値）を表しているので、このオフセット値を用いることで、うるう秒と夏時間（DST）の両方が補正される。
【０２２６】
そして、クロック同期部２５１は、内部時刻としてのローカル時刻を、提示同期部２５２及び時刻・ESG表示処理部２５３に供給する。
【０２２７】
コンポーネントタイムゾーン補正部２５４には、タイムラインのタイムゾーンが、UTC以外のタイムゾーンとなるコンポーネント（のデータ）と、時刻情報メタデータに含まれるコンポーネントタイムゾーン情報及びタイムゾーン情報が入力される。
【０２２８】
コンポーネントタイムゾーン補正部２５４は、コンポーネントタイムゾーン情報及びタイムゾーン情報に基づいて、コンポーネントタイムゾーン補正を行い、コンポーネントのタイムゾーン（UTC以外）を、ローカル時刻に変換する。そして、コンポーネントタイムゾーン補正部２５４は、タイムゾーン補正後のコンポーネント（のデータ）を、提示同期部２５２に供給する。
【０２２９】
提示同期部２５２には、クロック同期部２５１からの内部時刻（ローカル時刻）と、コンポーネントタイムゾーン補正部２５４からのコンポーネント（のデータ）と、時刻情報メタデータに含まれる不連続時刻情報が入力される。
【０２３０】
提示同期部２５２は、クロック同期部２５１からの内部時刻（ローカル時刻）を用いて、タイムラインのタイムゾーンがローカル時刻となるコンポーネント（のデータ）を処理することで、提示同期を実現する。そして、提示同期部２５２は、提示同期されたビデオとオーディオのコンポーネント（のデータ）を出力する。なお、提示同期部２５２は、提示同期を行う際に、必要に応じて、不連続時刻情報（例えば、うるう秒に関する情報）を用いた処理を行うことができる。
【０２３１】
ESGタイムゾーン補正部２５５には、タイムラインのタイムゾーンが、UTC以外のタイムゾーンとなるESG（のデータ）と、時刻情報メタデータに含まれるESGタイムゾーン情報及びタイムゾーン情報が入力される。
【０２３２】
ESGタイムゾーン補正部２５５は、ESGタイムゾーン情報及びタイムゾーン情報に基づいて、ESGタイムゾーン補正を行い、ESGのタイムゾーン（UTC以外）を、ローカル時刻に変換する。そして、ESGタイムゾーン補正部２５５は、タイムゾーン補正後のESG（のデータ）を、時刻・ESG表示処理部２５３に供給する。
【０２３３】
時刻・ESG表示処理部２５３には、クロック同期部２５１からの内部時刻（ローカル時刻）と、ESGタイムゾーン補正部２５５からのESG（のデータ）と、時刻情報メタデータに含まれる不連続時刻情報が入力される。
【０２３４】
時刻・ESG表示処理部２５３は、時刻表示が行われる場合、クロック同期部２５１からの内部時刻（ローカル時刻）を処理することで、ローカル時刻に対応した時刻を表示させる。また、時刻・ESG表示処理部２５３は、ESG表示が行われる場合、タイムラインのタイムゾーンがローカル時刻となるESG（のデータ）を処理することで、ローカル時刻に対応したESGを表示させる。
【０２３５】
なお、時刻・ESG表示処理部２５３は、時刻表示又はESG表示を行う際に、必要に応じて、不連続時刻情報（例えば、うるう秒に関する情報）を用いた処理を行うことができる。
【０２３６】
以上のように、ローカル時刻モードＢにおいては、送信装置１０が、時刻情報としてのローカル時刻とともに、ローカル時刻モードＢに対応した時刻情報処理を行うための情報を含む時刻情報メタデータを伝送することで、受信装置２０では、当該時刻情報メタデータを用いて、ローカル時刻モードＢに応じた時刻情報処理を行うことができる。
【０２３７】
（３−３）ローカル時刻モードＣ
図１８は、ローカル時刻モードＣに対応した送信側と受信側の処理の概要を示す図である。
【０２３８】
図１８においては、図中左側の放送局の送信装置１０から送信されるデータが、図中右側の受信装置２０により受信され、当該受信装置２０でローカル時刻モードＣに応じた時刻情報処理が行われる様子が表されている。
【０２３９】
放送局の送信装置１０において、時刻情報変換部１５１は、オフセット情報を用いて、GPS時刻とローカル時刻との差を補正することで、GPS時刻をローカル時刻に変換する。これにより時刻情報としてのローカル時刻が得られる。
【０２４０】
また、送信装置１０では、時刻情報メタデータが生成される。この時刻情報メタデータには、時刻情報モードが含まれる。ここで、時刻情報モードとしては、ローカル時刻モードが設定される。
【０２４１】
送信装置１０は、時刻情報としてのローカル時刻と、時刻情報メタデータを含む放送ストリームを、伝送路３０を介して受信装置２０に送信する。また、送信装置１０においては、ビデオやオーディオのコンポーネントと、ESG（のデータ）が処理され、放送ストリームに含められる。ただし、ローカル時刻モードＢの場合には、コンポーネントと、ESGのタイムラインのタイムゾーンが、ローカル時刻とされる。
【０２４２】
一方で、受信装置２０では、送信装置１０から伝送路３０を介して送信されてくる、放送ストリームが受信される。この放送ストリームには、時刻情報としてのローカル時刻や時刻情報メタデータ、ビデオやオーディオのコンポーネントと、ESG（のデータ）などが含まれている。受信装置２０は、時刻情報メタデータに含まれる時刻情報モードに応じて、ローカル時刻モードＣ（ローカル時刻モード）で動作することになる。
【０２４３】
ここで、受信装置２０において、クロック同期部２５１では、時刻情報としてのローカル時刻を用いたクロック同期が行われる。また、クロック同期部２５１は、内部時刻としてのローカル時刻を、提示同期部２５２及び時刻・ESG表示処理部２５３に供給する。
【０２４４】
ただし、このローカル時刻モードＣの例では、上述した物理層クロックとシステムクロックが同期するクロック同期方式を採用しているため、クロック同期部２５１でのクロック同期でオフセット値が不要とされている。
【０２４５】
提示同期部２５２には、クロック同期部２５１からの内部時刻（ローカル時刻）と、タイムラインのタイムゾーンがローカル時刻となるコンポーネント（のデータ）が入力される。
【０２４６】
提示同期部２５２は、クロック同期部２５１からの内部時刻（ローカル時刻）を用いて、タイムラインのタイムゾーンがローカル時刻となるコンポーネント（のデータ）を処理することで、提示同期を実現する。そして、提示同期部２５２は、提示同期されたビデオとオーディオのコンポーネント（のデータ）を出力する。
【０２４７】
時刻・ESG表示処理部２５３には、クロック同期部２５１からの内部時刻（ローカル時刻）と、タイムラインのタイムゾーンがローカル時刻となるESG（のデータ）が入力される。
【０２４８】
時刻・ESG表示処理部２５３は、時刻表示が行われる場合、クロック同期部２５１からの内部時刻（ローカル時刻）を処理することで、ローカル時刻に対応した時刻を表示させる。また、時刻・ESG表示処理部２５３は、ESG表示が行われる場合、タイムラインのタイムゾーンがローカル時刻となるESG（のデータ）を処理することで、ローカル時刻に対応したESGを表示させる。
【０２４９】
以上のように、ローカル時刻モードＣにおいては、送信装置１０が、時刻情報としてのローカル時刻とともに、ローカル時刻モードＣに対応した時刻情報処理を行うための情報を含む時刻情報メタデータを伝送することで、受信装置２０では、当該時刻情報メタデータを用いて、ローカル時刻モードＣに応じた時刻情報処理を行うことができる。
【０２５０】
なお、図１８においては、先に提案している、物理層クロックとシステムクロックが同期するクロック同期方式を採用することで、クロック同期部２５１でのクロック同期でオフセット値が不要となる場合を説明したが、当該クロック同期方式を用いない場合には、オフセット情報（例えば、基準時刻（例えばPTP）とローカル時刻とのオフセット値）を、時刻情報メタデータに含めるようにすればよい。そして、受信装置２０において、クロック同期部２５１は、ローカル時刻を用いたクロック同期を行うときに、基準時刻（例えばPTP）とローカル時刻とのオフセット値を用いて、オフセット値補正を行うことで、うるう秒と夏時間（DST）を補正することが可能となる。
【０２５１】
（Ｂ）うるう秒と夏時間（DST）の対応
【０２５２】
（うるう秒補正による時刻の調整例）
図１９は、受信装置２０で行われる、時刻情報メタデータを用いたうるう秒補正による時刻の調整例を示す図である。
【０２５３】
図１９において、時間の方向は、図中の左側から右側の方向とされ、うるう秒補正前とうるう秒補正後の時刻情報の時系列を、図１９のＡと図１９のＢにそれぞれ表している。
【０２５４】
図１９のＡのうるう秒補正前の時系列において、連続する四角形内の数字が、UTC等の時刻情報に応じた時刻を表し、その連続する四角形の下側に記述された六角形内の数字が、当該時刻におけるうるう秒のオフセットの値（単位：秒）を表している。ただし、うるう秒のオフセット値は、時刻情報メタデータに含まれるオフセット情報又は不連続時刻情報から得られる。また、この時刻情報メタデータ（不連続時刻情報）に含まれるうるう秒の開始時刻と終了時刻により、うるう秒の挿入時刻が特定される。
【０２５５】
例えば、6/30の23:59:59に、うるう秒が挿入されるとすれば、うるう秒のオフセット値として、＋25秒が設定されている。つまり、この時点までに、25回のうるう秒の挿入が行われたことを意味している。以前のうるう秒が挿入又は削除された時刻から、うるう秒が挿入される直前の6/30の23:59:59までは、うるう秒のオフセット値として、＋25秒が設定されている。
【０２５６】
そして、時刻情報に応じた時刻が、6/30の23:59:59から7/1の00:00:00に切り替わるとき、時刻情報に応じた時刻に、うるう秒が挿入（＋1秒）されたのに応じて、うるう秒のオフセット値が、＋25秒から、＋26秒に調整されている。その後、7/1の00:00:00以降では、うるう秒のオフセット値として、調整後の＋26秒が設定されることになる。
【０２５７】
一方で、図１９のＢの時系列は、図１９のＡの時系列に対応する、うるう秒のオフセット値を用いたうるう秒補正後の時系列を表している。例えば、図１９のＡの時系列で、6/30の23:50:00は、うるう秒のオフセット値が、＋25秒であるため、うるう秒補正後の時刻は、図１９のＢの時系列で表すように、25秒が加算された6/30の23:50:25となる。その後、6/30の23:50:01から、うるう秒が挿入される直前の6/30の23:59:59までも同様に、うるう秒補正後の時刻は、うるう秒のオフセット値に応じて25秒が加算された時刻となる。
【０２５８】
そして、図１９のＡの時系列で、UTC等の時刻情報に応じた時刻が、6/30の23:59:59から7/1の00:00:00に切り替わるとき、うるう秒が挿入（＋1秒）され、うるう秒のオフセット値が、＋25秒から、＋26秒に調整されているので、それ以降、図１９のＢの時系列で、うるう秒補正後の時刻は、うるう秒のオフセット値に応じて26秒が加算された時刻となる。
【０２５９】
ここで、うるう秒が挿入される6/30の23:59:59に注目すれば、その直前の23:59:59には、うるう秒のオフセット値として、＋25秒が設定され、うるう秒補正後の時刻は、7/1の00:00:24となる。一方で、うるう秒が挿入された直後の23:59:59には、うるう秒のオフセット値として、＋26秒が設定され、うるう秒補正後の時刻は、7/1の00:00:25となる。
【０２６０】
このように、うるう秒のオフセット値を用いたうるう秒補正では、うるう秒のオフセット値が加算されるようにすることで、うるう秒の挿入の前後であっても、・・・，00:00:25，00:00:26，・・・のように、連続した時刻に変換することができる。そのため、例えば、UTCなどのように、うるう秒補正を行う必要がある時刻情報であっても、うるう秒補正後の時刻を、連続した時刻（時刻情報）として取り扱うことができるため、当該時刻情報を、提示同期に利用することが可能となる。
【０２６１】
（内部カウンタを用いたうるう秒補正による時刻の調整例）
図２０は、受信装置２０で行われる、内部カウンタを用いたうるう秒補正による時刻の調整例を示す図である。
【０２６２】
図２０において、時間の方向は、図中の左側から右側の方向とされ、うるう秒補正前とうるう秒補正後の時刻情報の時系列を、図２０のＡと図２０のＢにそれぞれ表している。
【０２６３】
図２０のＡのうるう秒補正前の時系列において、連続する四角形内の数字が、UTC等の時刻情報に応じた時刻を表し、その連続する四角形の下側に、うるう秒フラグ（Leap_second_flag）のタイミングチャートが表されている。
【０２６４】
すなわち、Leap_second_flag[0]は、うるう秒の発生時刻を表しており、例えば、うるう秒の挿入（＋１秒）が行われる１日前（24時間前）から、ビットを立てることで、うるう秒の調整処理が行われることを通知することができる。また、Leap_second_flag[1]は、うるう秒の挿入又は削除を表しており、この例では、うるう秒の挿入（＋１秒）が行われるため、Leap_second_flag[1]として、"0"が設定されている。
【０２６５】
ここで、例えば、6/30の23:59:59に、うるう秒が挿入されるとすれば、例えば、うるう秒の調整処理が行われる1日前（24時間前）となったとき、Leap_second_flag[0]が、"0"から"1"に切り替わる。これにより、受信装置２０には、うるう秒の調整処理が24時間以内に行われることが通知されることになる。そして、UTC等の時刻情報に応じた時刻が、6/30の23:59:59となるまで、この状態が継続し、6/30の23:59:59となったとき、時刻情報に応じた時刻に、うるう秒が挿入されたのに応じて、Leap_second_flag[0]が、"1"から"0"に切り替わる。
【０２６６】
また、うるう秒フラグ（Leap_second_flag）のタイミングチャートの下側の連続する六角形が、受信装置２０（の時刻情報処理部２２２）の内部カウンタ２２２Ａ（図３）のタイミングチャートを表している。ただし、受信装置２０の内部カウンタ２２２Ａのタイミングチャートにおいて、六角形内の数字が、内部カウンタ２２２Ａに保持されている値を表している。すなわち、受信装置２０の内部カウンタ２２２Ａにおいて、その初期値は"+0"とされるが、Leap_second_flag[0]が、"1"から"0"に切り替わったとき、１カウントアップされ、それ以降は、"+1"が保持される。
【０２６７】
一方で、図２０のＢの時系列は、図２０のＡの時系列に対応する、受信装置２０の内部カウンタ２２２Ａの値を用いたうるう秒補正後の時系列を表している。例えば、図２０のＡの時系列で、6/30の23:50:00は、内部カウンタ２２２Ａの値が、+0秒であるため、うるう秒補正後の時刻は、図２０のＢの時系列で表すように、23:50:00のままとなる。その後、6/30の23:50:01から、うるう秒が挿入される直前の6/30の23:59:59までも同様に、内部カウンタ２２２Ａの値が、+0秒となるので、うるう秒補正後の時刻は、補正前の時刻と同一の時刻となる。
【０２６８】
そして、図２０のＡの時系列で、UTC等の時刻情報に応じた時刻が、6/30の23:59:59となったとき、うるう秒が挿入（＋1秒）され、内部カウンタ２２２Ａの値が、+0秒から、+1秒にカウントアップされているので、それ以降、図２０のＢの時系列で、うるう秒補正後の時刻は、内部カウンタ２２２Ａの値に応じて１秒が加算された時刻となる。
【０２６９】
ここで、うるう秒が挿入される6/30の23:59:59に注目すれば、その直前の23:59:59には、内部カウンタ２２２Ａの値として、+0秒が設定され、うるう秒補正後の時刻は、6/30の23:59:59のままとなる。一方で、うるう秒が挿入された直後の23:59:59には、内部カウンタ２２２Ａの値として、+1秒が設定され、うるう秒補正後の時刻は、7/1の00:00:00となる。
【０２７０】
このように、受信装置２０の内部カウンタ２２２Ａを用いたうるう秒補正では、内部カウンタ２２２Ａの値が加算されるようにすることで、うるう秒の挿入の前後であっても、・・・，23:59:59，00:00:00，・・・のように、連続した時刻に変換することができる。そのため、例えば、UTCなどのように、うるう秒補正を行う必要がある時刻情報であっても、うるう秒補正後の時刻を、連続した時刻（時刻情報）として取り扱うことができるため、当該時刻情報を、提示同期に利用することが可能となる。
【０２７１】
また、受信装置２０の内部カウンタ２２２Ａによって、うるう秒フラグ（Leap_second_flag）に応じた値を保持することで、上述した図１９を参照して説明したうるう秒オフセットを用いた場合と同様の効果を得ることが可能となる。
【０２７２】
すなわち、図２０において、次にうるう秒が挿入される場合には、うるう秒フラグに応じて、その挿入の前後で、内部カウンタ２２２Ａの値が、+1秒から、+2秒にカウントアップされる。同様に、それ以降、うるう秒が挿入される度に、内部カウンタ２２２Ａの値がカウントアップされるので、内部カウンタ２２２Ａの値は、上述したうるう秒のオフセット値と等価とされる。したがって、受信装置２０において、内部カウンタ２２２Ａで、うるう秒フラグに応じた値を保持することで、時刻情報メタデータに、うるう秒のオフセット値を含める必要がなくなることになる。
【０２７３】
なお、図２０の例では、うるう秒が挿入される場合を説明したが、うるう秒が削除（−１秒）される場合もあり、その場合には、受信装置２０の内部カウンタ２２２Ａの値は、カウントダウンされることになる。また、うるう秒を削除する場合には、Leap_second_flag[1]として、"1"が設定される。
【０２７４】
（DST補正による時刻の調整例）
図２１は、受信装置２０で行われる、時刻情報メタデータを用いたDST補正による時刻の調整例を示す図である。
【０２７５】
図２１において、時間の方向は、図中の左側から右側の方向とされ、DST補正前とDST補正後の内部時刻の時系列を、図２１のＡと図２１のＢにそれぞれ表している。
【０２７６】
図２１のＡのDST補正前の時系列において、連続する四角形内の数字が、ローカル時刻などの内部時刻を表し、その連続する四角形の下側に記述された六角形内の数字が、当該内部時刻におけるDSTオフセット値（単位：時分秒）を表している。ただし、DSTオフセット値は、時刻情報メタデータに含まれるオフセット情報又は不連続時刻情報から得られる。また、この時刻情報メタデータ（不連続時刻情報）に含まれる次に時刻が不連続になる日付又は時刻により、夏時間（DST）の開始時刻が特定される。
【０２７７】
例えば、3/9の1:59:59に、標準時間が終了し、3/9の2:00:00から夏時間（DST）が開始する場合に、以前の夏時間（DST）が終了してから、夏時間（DST）が開始する直前の3/9の1:59:59までは、DSTオフセットとして、5:00:00が設定されている。
【０２７８】
そして、内部時刻が、3/9の1:59:59から2:00:00に切り替わるとき、内部時刻が、夏時間（DST）の開始時刻になって、1:59:59から3:00:00に切り替わったのに応じて、DSTオフセット値が、5:00:00から、4:00:00に調整されている。その後の3/9の3:00:00以降では、DSTオフセット値として、調整後の4:00:00が設定されることになる。
【０２７９】
一方で、図２１のＢの時系列は、図２１のＡの時系列に対応する、DSTオフセット値を用いたDST補正後の時系列を表している。例えば、図２１のＡの時系列で、3/9の1:50:00は、DSTオフセット値が、5:00:00であるため、DST補正後の時刻は、図２１のＢの時系列で表すように、5:00:00が加算された3/9の6:50:00となる。その後、3/9の1:50:01から、夏時間（DST）が開始される直前の3/9の1:59:59までも同様に、DST補正後の時刻は、DSTオフセット値に応じて、5:00:00が加算された時刻となる。
【０２８０】
そして、図２１のＡの時系列で、内部時刻が、3/9の1:59:59から2:00:00に切り替わるとき、夏時間（DST）の開始時刻になって、DSTオフセット値が、5:00:00から、4:00:00に調整されているので、それ以降、図２１のＢの時系列で、DST補正後の時刻は、DSTオフセット値に応じて4:00:00が加算された時刻となる。
【０２８１】
ここで、夏時間（DST）の開始時刻である、3/9の1:59:59から3:00:00に切り替わるときに注目すれば、その直前の1:59:59には、DSTオフセット値として、5:00:00が設定され、DST補正後の時刻は、3/9の6:59:59となる。一方で、夏時間（DST）に切り替わった直後の3:00:00には、DSTオフセット値として、4:00:00が設定され、DST補正後の時刻は、3/9の7:00:00となる。
【０２８２】
このように、DSTオフセット値を用いたDST補正では、DSTオフセット値が加算されるようにすることで、夏時間（DST）の開始の前後であっても、・・・，6:59:59，7:00:00，・・・のように、連続した時間に変換することができる。そのため、例えば、欧米諸国などのように、夏時間（DST）を実施している地域であっても、DST補正後の時刻を、連続した時刻（内部時刻）として取り扱うことができるため、当該内部時刻を、提示同期に利用することが可能となる。
【０２８３】
（内部時刻とメディアタイムラインとの関係）
次に、図２２及び図２３を参照して、受信装置２０の内部時刻と、MPD（のavailabilityStartTime属性）によるメディアタイムライン（コンポーネントのタイムライン）との関係について説明する。ここでは、まず、図２２を参照して、うるう秒挿入時における、内部時刻とメディアタイムラインとの関係について説明し、その後、図２３を参照して、夏時間（DST）の開始時における、内部時刻とメディアタイムラインとの関係について説明する。
【０２８４】
図２２においては、うるう秒挿入時の内部時刻の時系列と、うるう秒挿入時のメディアタイムラインの時系列を、図２２のＡと図２２のＢにそれぞれ表している。
【０２８５】
図２２のＡのうるう秒挿入時の内部時刻の時系列において、連続する四角形内の数字が、UTC等の内部時刻に応じた時刻を表している。この例では、内部時刻が、6/30の23:59:59から7/1の00:00:00に切り替わるとき、うるう秒が挿入（＋1秒）されることになる。
【０２８６】
ここで、放送局の送信装置１０では、コンポーネント（メディア）に記述されているアンカー情報（すなわち、MPDのavailabilityStartTime属性）が、UTC等の時刻情報と同期されるようにしている。そのため、図２２のＢのメディアタイムラインの時系列においては、図２２のＡの内部時刻の時系列と同じタイミングで、うるう秒が挿入（＋1秒）されるなど、受信装置２０において、互いの時系列を、正しく追従することができる。
【０２８７】
なお、図２２のＢのメディアタイムラインの時系列においては、ローカル時刻が用いられているが、タイムゾーンが異なる場合には、時刻情報メタデータに含まれるコンポーネントタイムゾーン情報又はタイムゾーン情報を用いて、コンポーネントのタイムゾーンを補正すればよい。
【０２８８】
また、図２３においては、夏時間（DST）の開始時の内部時刻の時系列と、夏時間（DST）の開始時のメディアタイムラインの時系列を、図２３のＡと図２３のＢにそれぞれ表している。
【０２８９】
図２３のＡの夏時間（DST）の開始時の内部時刻の時系列において、連続する四角形内の数字が、ローカル時刻等の内部時刻に応じた時刻を表している。この例では、内部時刻が、3/9の1:59:59から2:00:00に切り替わるとき、内部時刻が、夏時間（DST）の開始時刻になって、1:59:59から3:00:00に切り替わっている。
【０２９０】
ここで、放送局の送信装置１０では、コンポーネント（メディア）に記述されているアンカー情報（すなわち、MPDのavailabilityStartTime属性）が、ローカル時刻等の時刻情報と同期されるようにしている。そのため、図２３のＢのメディアタイムラインの時系列においては、図２３のＡの内部時刻の時系列と同じタイミングで、夏時間（DST）が開始されるなど、受信装置２０において、互いの時系列を、正しく追従することができる。
【０２９１】
なお、図２３のＢでは、メディアタイムライン（コンポーネントのタイムライン）の時系列の例を示したが、ESGのタイムラインについても、放送局の送信装置１０で処理されるため、上述したコンポーネント（メディア）と同様の処理によって、受信装置２０において、ESGを、同期して表示させることが可能となる。
【０２９２】
（Ｃ）シンタックスの例
【０２９３】
（時刻情報メタデータのシンタックス）
図２４は、時刻情報メタデータのシンタックスの例を示す図である。
【０２９４】
3ビットのtime_modeは、時刻情報のフォーマット（時刻フォーマット）ごとに規定される時刻情報モードである。例えば、このtime_modeとして、"0"が設定された場合、時刻情報モードは、UTCモードとされる。また、例えば、time_modeとして"1"が設定された場合には、PTPモードとなり、time_modeとして"2"が設定された場合には、ローカル時刻モードとなる。
【０２９５】
5ビットのtimezoneは、タイムゾーン情報である。このタイムゾーン情報としては、その地域の標準時を、UTCとの差で表した情報（UTCに対して±12）が含まれる。
【０２９６】
16ビットのtimeOffsetは、オフセット情報である。このオフセット情報としては、基準時刻と不連続時刻とのオフセット値が含まれる。ただし、基準時刻としては、例えば、PTPで規定される時刻の情報など、規格で定められた時刻が用いられる。
【０２９７】
例えば、時刻情報モードがUTCモードとなる場合、基準時刻（例えばPTP）とUTCとのオフセット値として、うるう秒の積算値が設定される。さらに、例えば、時刻情報モードがPTPモードとなる場合、基準時刻（例えばPTP）と不連続時刻（例えばUTC）とのオフセット情報として、PTPをUTCに変換するための値（PTP-UTCオフセット値）が設定される。
【０２９８】
また、例えば、時刻情報モードがローカル時刻となる場合、基準時刻（例えばPTP）とローカル時刻とのオフセット値として、うるう秒の積算値と夏時間（DST）の変動値とを加算した値（うるう秒と夏時間（DST）の両方を含んだ値）が設定される。
【０２９９】
8ビットのnextTimeJumpday，8ビットのnextTimeJumphour，16ビットのtimeJumpValue，及び、3ビットのtimeJumpTypeは、不連続時刻情報である。
【０３００】
nextTimeJumpdayには、次に時刻が不連続になる日付が設定される。nextTimeJumphourには、次に時刻が不連続になる時刻が設定される。timeJumpValueには、次に不連続になる時刻の変化量が設定される。
【０３０１】
timeJumpTypeには、次に時刻が不連続になる時刻の種類が設定される。例えば、このtimeJumpTypeとして、"0"が設定された場合、次に時刻が不連続になる時刻の種類は、うるう秒とされ、不連続時刻情報には、うるう秒に関する情報が含まれる。また、例えば、timeJumpTypeとして、"1"が設定された場合、次に時刻が不連続になる時刻の種類は、夏時間（DST）とされ、不連続時刻情報には、夏時間（DST）に関する情報が含まれる。
【０３０２】
5ビットのmedia_timezoneは、コンポーネントタイムゾーン情報である。5ビットのesg_timezoneは、ESGタイムゾーン情報である。なお、3ビットのreservedは、未定義の領域とされる。
【０３０３】
なお、図２４の時刻情報メタデータのシンタックスは、一例であって、例えば、この時刻情報メタデータに、新たな情報を追加したり、あるいは一部の情報を削除したりしてもよい。例えば、上述した図２０で説明したように、うるう秒の発生時刻などを、うるう秒フラグ（Leap_second_flag）で通知する場合には、時刻情報メタデータに、不連続時刻情報やオフセット情報などの代わりに、うるう秒フラグを追加してもよい。
【０３０４】
具体的には、この場合、うるう秒が発生する時刻を示すフラグであるLeap_second_flag[0]と、うるう秒の挿入又は削除を示すフラグであるLeap_second_flag[1]が追加される。なお、例えば、Leap_second_flag[1]として、"0"が設定された場合には、うるう秒が挿入（＋１秒）されることを示し、Leap_second_flag[1]として、"1"が設定された場合には、うるう秒が削除（−１秒）されることを示すようにすることができる。
【０３０５】
なお、図２４において、ビット列表記（Mnemonic）であるが、"uimsbf"は、unsigned integer most significant bit firstの略語であって、ビット演算して整数として扱われることを意味する。また、"bslbf"は、bit string, left bit firstの略語であって、ビット列として扱われることを意味する。さらに、"tcimsbf"は、two's complement integer, most significant firstの略語である。
【０３０６】
＜３．時刻情報メタデータの伝送方式＞
【０３０７】
（時刻情報メタデータの伝送方式の概要）
図２５は、時刻情報メタデータの伝送方式の概要を示す図である。
【０３０８】
時刻情報メタデータは、例えば、下記の（Ａ）乃至（Ｆ）の６つの伝送方式のいずれかを用いて、伝送することができる。
【０３０９】
（Ａ）記述子伝送方式
（Ｂ）ALP拡張ヘッダ伝送方式
（Ｃ）L2シグナリングヘッダ伝送方式
（Ｄ）L2シグナリング伝送方式
（Ｅ）BBP拡張ヘッダ伝送方式
（Ｆ）L1シグナリング伝送方式
【０３１０】
ところで、ATSC3.0では、データ伝送に、主として、TS(Transport Stream)パケットではなく、IP/UDP、すなわち、UDP(User Datagram Protocol)パケットを含むIP(Internet Protocol)パケットを用いる方式（以下、IP伝送方式という）が採用されることが決定されている。また、ATSC3.0以外の放送規格でも、将来的に、IP伝送方式が採用されることが期待されている。
【０３１１】
ATSC3.0では、トランスポート・プロトコルとして、ROUTE(Real-Time Object Delivery over Unidirectional Transport)を用いることが想定されている。
【０３１２】
ここで、ROUTEは、バイナリファイルを一方向でマルチキャスト転送するのに適したプロトコルであるFLUTE(File Delivery over Unidirectional Transport)を拡張したプロトコルである。このROUTEセッションを利用して、ビデオやオーディオのコンポーネント、シグナリングなどを伝送することができる。
【０３１３】
また、ATSC3.0では、シグナリングとして、LLS(Link Layer Signaling)シグナリングと、SLS(Service Layer Signaling)シグナリングを用いることが想定されている。LLSシグナリングは、SLSシグナリングに先行して取得されるシグナリングであって、LLSシグナリングに含まれる情報に従い、SLSシグナリングが取得される。
【０３１４】
このLLSシグナリングとしては、例えば、SLT(Service List Table)やEAT(Emergency Alerting Table)， RRT(Region Rating Table)等のメタデータが含まれる。
【０３１５】
SLTメタデータは、サービスの選局に必要な情報（選局情報）など、放送ネットワークにおけるストリームやサービスの構成を示す情報を含む。EATメタデータは、緊急に告知する必要がある情報である緊急情報に関する情報を含む。RRTメタデータは、レーティングに関する情報を含む。また、ESG(Electronic Service Guide)は、電子番組表である。
【０３１６】
また、SLSシグナリングとしては、サービスごとに、例えば、USBD(User Service Bundle Description)又はUSD(User Service Description)，S-TSID(Service-based Transport Session Instance Description)，MPD(Media Presentation Description)等のメタデータが含まれる。
【０３１７】
USBD又はUSDメタデータは、他のメタデータの取得先などの情報を含む。S-TSIDメタデータは、LSID(LCT Session Instance Description)をATSC3.0向けに拡張したものであって、ROUTEプロトコルの制御情報である。MPDメタデータは、コンポーネントのストリームの再生を管理するための制御情報である。
【０３１８】
なお、USBD，USD，S-TSID，MPD等のメタデータは、XML(Extensible Markup Language)等のマークアップ言語により記述される。また、MPDメタデータは、MPEG-DASH(Dynamic Adaptive Streaming over HTTP)の規格に準じている。
【０３１９】
ここで、図２６に示すように、IP伝送方式のプロトコルスタックにおいては、物理層であるレイヤ１（Ｌ１）と、レイヤ１の上位層であるレイヤ２（Ｌ２）と、レイヤ２の上位層であるレイヤ３（Ｌ３）が階層構造をなしている。
【０３２０】
IPパケットは、IPヘッダ（IP Header）とペイロード（Payload）から構成される。IPパケットのペイロードには、ビデオやオーディオ等のコンポーネントのデータと、SLSシグナリング等のシグナリングのデータなどが配置される。ここで、記述子伝送方式を用いる場合には、例えば、IPパケットのペイロードに、記述子としての時刻情報メタデータが配置される。
【０３２１】
レイヤ２（Ｌ２）では、伝送パケットとしてのALPパケット（ALP(ATSC Link-layer Protocol) Packet）が伝送される。ALPパケットは、ALPヘッダ（ALP Header）とペイロード（Payload）から構成される。ALPパケットのペイロードには、１又は複数のIPパケット又は選局情報が配置され、カプセル化（encapsulation）される。
【０３２２】
ここで、ALP拡張ヘッダ伝送方式を用いる場合、このALPパケットの拡張ヘッダに、時刻情報メタデータが配置される。また、L2シグナリングヘッダ伝送方式を用いる場合には、ALPパケットのペイロードに配置されるL2シグナリングのヘッダに、時刻情報メタデータが配置される。さらに、L2シグナリング伝送方式を用いる場合には、ALPパケットのペイロードに、L2シグナリングとしての時刻情報メタデータが配置される。
【０３２３】
レイヤ１（Ｌ１）においては、伝送パケットとしてのBBP(Baseband Packet)が伝送される。BBPは、BBPヘッダ（Baseband Packet Header）と、ペイロード（Payload）から構成される。BBPのペイロードには、１又は複数のALPパケットが配置され、カプセル化される。ここで、BBP拡張ヘッダ伝送方式を用いる場合には、このBBPの拡張ヘッダに、時刻情報メタデータが配置される。
【０３２４】
また、レイヤ１においては、１又は複数のBBPをスクランブルして得られるデータ（Data）がFECフレーム（FEC Frame）にマッピングされ、物理層のエラー訂正用のパリティ（Parity）が付加される。
【０３２５】
ここで、レイヤ１（Ｌ１）の物理層フレーム（Physical Frame）は、ブートストラップ（BS：Bootstrap）と、プリアンブル（Preamble）と、データ部（Data）から構成される。そして、物理層フレームのデータ部には、複数のFECフレームに対して、ビットインターリーブを行った後に、マッピング処理を行い、さらに、時間方向と周波数方向にインターリーブを行うなどの物理層の処理（変調処理）が行われることで得られるデータがマッピングされる。
【０３２６】
ここで、L1シグナリング伝送方式を採用する場合、物理層フレームのブートストラップ又はプリアンブルに、L1シグナリングとしての時刻情報メタデータが配置される。なお、物理層フレームのフレーム長は、例えば、100〜200msとされる。
【０３２７】
以下、図２５に示した（Ａ）乃至（Ｆ）の６つの伝送方式の詳細な内容について説明する。
【０３２８】
（Ａ）記述子伝送方式
まず、図２７を参照して、記述子伝送方式について説明する。この記述子伝送方式においては、記述子としての時刻情報メタデータ（time_info）が、例えば、LLSシグナリングと同様に、UDPパケットを含むIPパケット（IPパケット）で伝送されるようにする。
【０３２９】
図２７の時刻情報メタデータ（記述子）には、8ビットのtime_info_id，3ビットのtime_mode，5ビットのtimezone，16ビットのtimeOffset，8ビットのnextTimeJumpday，8ビットのnextTimeJumphour，16ビットのtimeJumpValue，3ビットのtimeJumpType，5ビットのmedia_timezone，及び、5ビットのesg_timezoneが含まれる。
【０３３０】
8ビットのtime_info_idには、当該記述子のタイプを示すためのIDが設定される。なお、time_info_id以外の情報については、図２４に示した時刻情報メタデータに含まれる情報と同様であるため、ここでは、その説明は、省略する。
【０３３１】
以上のように、時刻情報メタデータを伝送するための伝送フォーマットとして、記述子伝送方式を用いて、時刻情報メタデータを含む記述子が、IPパケットで伝送されるようにすることで、受信装置２０（図１）においては、IPパケットに含まれる時刻情報メタデータ（記述子）が抽出されるので、当該時刻情報メタデータに基づいて、時刻情報モードに応じた時刻情報処理を行うことが可能となる。
【０３３２】
（Ｂ）ALP拡張ヘッダ伝送方式
次に、図２８及び図２９を参照して、ALP拡張ヘッダ伝送方式について説明する。このALP拡張ヘッダ伝送方式においては、ALP拡張ヘッダを利用して、時刻情報メタデータを伝送する。
【０３３３】
図２８は、ALPパケットの構成を示している。図２８のALPパケットにおいて、ALPヘッダの先頭には、3ビットのタイプ情報（Type）が設定される。このタイプ情報は、ALPパケットのペイロードに配置されるデータのタイプに関する情報が設定される。
【０３３４】
ALPヘッダにおいて、タイプ情報の次には、1ビットのパケット設定情報（PC：Packet Configuration）が配置される。パケット設定情報として、"0"が設定された場合、その次に配置される1ビットのヘッダモード（HM：Header Mode）に応じて、シングルパケットモード（Single packet mode）となって、ALPヘッダには、11ビットのレングス情報（Length）や拡張ヘッダ（Additional header）が配置される。また、ALPパケットにおいては、ALPヘッダに続いて、ペイロードが配置される。
【０３３５】
なお、シングルパケットモードにおいて、拡張ヘッダが配置されないALPパケットは、ノーマルパケット（normal packet）と称される一方、拡張ヘッダが配置されるALPパケットは、ロングパケット（long packet）と称される。
【０３３６】
一方、パケット設定情報（PC）として、"1"が設定された場合、その次に配置される1ビットのS/C（Segmentation/Concatenation）に応じて、セグメンテーションモード（Segmentation mode）又は連結モード（Concatenation mode）となって、ALPヘッダには、11ビットのレングス情報（Length）や拡張ヘッダ（Additional header）が配置される。
【０３３７】
ここで、ALP拡張ヘッダ伝送方式では、図中の枠Ａで囲まれた拡張ヘッダ（Additional header）に、時刻情報メタデータが配置される。すなわち、シングルパケットモード（ロングパケット）と、セグメンテーションモードの場合、拡張ヘッダにおいて、オプショナル拡張ヘッダフラグ（OHF：Optional Header Extension Flag）として"1"が設定された場合には、オプショナルヘッダ（Optional Header）が配置される。また、連結モードの場合には、拡張ヘッダにおいて、サブストリーム識別フラグ（SIF：Sub-stream Identifier Flag）として"1"が設定された場合には、オプショナルヘッダが配置される。
【０３３８】
このオプショナルヘッダには、図２９に示した構造体を配置することができる。図２９の構造体においては、拡張ヘッダインデックス情報（Additional header Index）ごとに、各種の情報が配置される。例えば、拡張ヘッダインデックス情報として"000000"が設定された場合、オプショナルヘッダには、時刻情報メタデータ（time_info）が配置されることを定義することができる。ここには、図２４に示した時刻情報メタデータを配置することができる。
【０３３９】
以上のように、時刻情報メタデータを伝送するための伝送フォーマットとして、ALP拡張ヘッダ伝送方式を用いて、時刻情報メタデータが、ALPパケットの拡張ヘッダに配置されて伝送されるようにすることで、受信装置２０（図１）においては、ALPパケットの拡張ヘッダに配置される時刻情報メタデータが抽出されるので、当該時刻情報メタデータに基づいて、時刻情報モードに応じた時刻情報処理を行うことが可能となる。
【０３４０】
（Ｃ）L2シグナリングヘッダ伝送方式
次に、図３０及び図３１を参照して、L2シグナリングヘッダ伝送方式について説明する。このL2シグナリングヘッダ伝送方式においては、L2シグナリングのヘッダを利用して、時刻情報メタデータを伝送する。
【０３４１】
図３０は、レイヤ２のALPパケットとしてのLLS(Link Layer Signaling)パケットの構成を示している。
【０３４２】
図３０において、ALPパケットのペイロードには、IPパケットやL2シグナリングが配置されるが、この例では、L2シグナリングとして、LLSシグナリングを配置した場合を表している。LLSシグナリングは、SLSシグナリングに先行して取得されるシグナリングである。このLLSシグナリングとしては、例えば、SLTやEAT，RRT等のメタデータが含まれる。
【０３４３】
ここで、ALPパケットのペイロードに、LLSシグナリングが配置される場合、当該ALPパケットは、LLSパケット（LLS Packet）であるとも言える。このLLSパケットは、LLSヘッダ（LLS Header）と、LLSシグナリング（LLS）が配置されたペイロードから構成される。また、この場合、BBPのペイロードには、１又は複数のLLSパケットが配置され、カプセル化されることになる。
【０３４４】
LLSヘッダには、LLSインデックス情報（LLS Index）とオブジェクトバージョン情報（Object Version）からなる構造体を配置することができる。
【０３４５】
LLSインデックス情報には、圧縮情報（Compression Scheme）、タイプ情報（Fragment Type）、及び、拡張タイプ情報（Type Extension）が配置される。圧縮情報には、対象のLLSシグナリングの圧縮の有無を示す情報が設定される。例えば、"0000"が設定された場合には、非圧縮であることを示し、"0001"が設定された場合には、zip形式で圧縮されていることを示している。
【０３４６】
タイプ情報（Fragment Type）には、LLSシグナリングのタイプに関する情報が設定される。例えば、SLTには"000000"，EATには"000001"，RRTには"000010"をそれぞれ設定することができる。拡張タイプ情報には、タイプごとに拡張パラメータが設定される。また、オブジェクトバージョン情報には、オブジェクトのバージョンに関する情報が配置される。
【０３４７】
また、LLSヘッダに配置される構造体としては、図３１に示すように、LLSインデックス情報とオブジェクトバージョン情報のほかに、時刻情報メタデータ（time_info）を含めることができる。ここには、図２４に示した時刻情報メタデータを配置することができる。
【０３４８】
以上のように、時刻情報メタデータを伝送するための伝送フォーマットとして、L2シグナリングヘッダ伝送方式を用いて、時刻情報メタデータが、L2シグナリングのヘッダに配置されて伝送されるようにすることで、受信装置２０（図１）においては、L2シグナリングのヘッダに配置される時刻情報メタデータが抽出されるので、当該時刻情報メタデータに基づいて、時刻情報モードに応じた時刻情報処理を行うことが可能となる。
【０３４９】
（Ｄ）L2シグナリング伝送方式
次に、図３２を参照して、L2シグナリング伝送方式について説明する。このL2シグナリング伝送方式においては、ALPパケットのペイロードに配置されるL2シグナリングの本体を利用して、時刻情報メタデータを伝送する。
【０３５０】
図３２の時刻情報メタデータ（L2シグナリング）には、8ビットのtime_info_id，3ビットのtime_mode，5ビットのtimezone，16ビットのtimeOffset，8ビットのnextTimeJumpday，8ビットのnextTimeJumphour，16ビットのtimeJumpValue，3ビットのtimeJumpType，5ビットのmedia_timezone，及び、5ビットのesg_timezoneが含まれる。
【０３５１】
なお、図３２の時刻情報メタデータに含まれる情報は、図２４又は図２７に示した時刻情報メタデータに含まれる情報と同様であるため、ここでは、その説明は、省略する。
【０３５２】
また、ここでは、図３２の時刻情報メタデータそのものを、L2シグナリングとして、ALPパケットのペイロードに配置するようにしてもよいし、あるいは、ALPパケットのペイロードに配置されているL2シグナリング（例えばLLSシグナリング）に、図３２の時刻情報メタデータを含めるようにしてもよい。
【０３５３】
以上のように、時刻情報メタデータを伝送するための伝送フォーマットとして、L2シグナリング伝送方式を用いて、時刻情報メタデータが、L2シグナリングの本体に配置されて伝送されるようにすることで、受信装置２０（図１）においては、L2シグナリングの本体に配置される時刻情報メタデータが抽出されるので、当該時刻情報メタデータに基づいて、時刻情報モードに応じた時刻情報処理を行うことが可能となる。
【０３５４】
（Ｅ）BBP拡張ヘッダ伝送方式
次に、図３３乃至図３６を参照して、BBP拡張ヘッダ伝送方式について説明する。このBBP拡張ヘッダ伝送方式においては、BBP拡張ヘッダを利用して、時刻情報メタデータを伝送する。
【０３５５】
図３３は、BBP(Baseband Packet)の構成を示している。図３３において、BBPは、BBPヘッダとペイロード（Payload）から構成される。BBPヘッダには、1又は2バイトのヘッダ（Header）のほか、オプショナルフィールド（Optional Field）と、拡張フィールド（Extension Field）を配置することができる。
【０３５６】
すなわち、ヘッダ（Header）において、1ビットのモード（MODE）として、"0"が設定された場合には、7ビットのポインタ情報（Pointer(LSB)）が配置される。なお、ポインタ情報は、BBPのペイロードに配置されるALPパケットの位置を示すための情報である。例えば、あるBBPに最後に配置されたALPパケットのデータが、次のBBPにまたがって配置される場合に、ポインタ情報として、次のBBPの先頭に配置されるALPパケットの位置情報を設定することができる。
【０３５７】
また、モード（MODE）として、"1"が設定された場合には、7ビットのポインタ情報（Pointer(LSB)）と、6ビットのポインタ情報（Pointer(MSB)）と、2ビットのオプショナルフラグ（OPTI：OPTIONAL）が配置される。オプショナルフラグは、オプショナルフィールド（Optional Field）と、拡張フィールド（Extension Field）を配置して、ヘッダを拡張するかどうかを示す情報である。
【０３５８】
すなわち、図３４に示すように、オプショナルフィールドと拡張フィールドの拡張を行わない場合、オプショナルフラグは、"00"が設定される。また、オプショナルフィールドの拡張のみを行う場合、オプショナルフラグは、"01"又は"10"が設定される。なお、オプショナルフラグとして"01"が設定された場合、オプショナルフィールドには、1バイト(8ビット)のパディングが行われる。また、オプショナルフラグとして"10"が設定された場合、オプショナルフィールドには、2バイト(16ビット)のパディングが行われる。
【０３５９】
また、オプショナルフィールドと拡張フィールドの拡張を行う場合、オプショナルフラグは、"11"が設定される。この場合、オプショナルフィールドの先頭には、3ビットの拡張タイプ情報（TYPE（EXT_TYPE））が設定される。このタイプ情報は、図３５に示すように、拡張タイプ情報の次に配置される拡張レングス情報（EXT_Length(LSB)）と拡張フィールドのタイプ（Extension type）に関する情報が設定される。
【０３６０】
すなわち、拡張レングス情報を配置し、スタッフィングバイト（Stuffing Bytes）のみが配置される場合、拡張タイプ情報は、"000"が設定される。また、拡張レングス情報を配置せずに、拡張フィールドに、ISSY（Input Stream Synchronizer）が配置される場合、拡張タイプ情報は、"001"が設定される。さらに、拡張レングス情報を配置し、拡張フィールドに、ISSYとともに、スタッフィングバイトが配置される場合、拡張タイプ情報は、"010"が設定される。
【０３６１】
また、拡張レングス情報を配置し、拡張フィールドに、L1シグナリングが配置される場合、拡張タイプ情報は、"011"が設定される。この場合、スタッフィングバイトを配置するかどうかは任意である。なお、図３５において、"100"〜"111"の拡張タイプ情報は、未定義（Reserved）となっている。
【０３６２】
そして、L1拡張ヘッダ伝送方式では、この拡張フィールド（BBP拡張ヘッダ）のL1シグナリングとして、時刻情報メタデータが配置されることになる。すなわち、BBP拡張ヘッダ伝送方式が利用される場合、オプショナルフラグ（OPTI）として"11"が設定されて、オプショナルフィールドと拡張フィールドの拡張が行われ、さらにオプショナルフィールドの拡張タイプ情報（EXT_TYPE）として"011"が設定されて、拡張フィールドに、時刻情報メタデータを含むL1シグナリングが配置されることになる。
【０３６３】
拡張フィールドには、図３６に示した構造体を配置することができる。図３６の構造体においては、拡張ヘッダインデックス情報（BBP Extension Header Index）ごとに、各種の情報が配置される。拡張ヘッダインデックス情報として"000000"が設定された場合、拡張フィールドには、時刻情報メタデータ（time_info）が配置されることを定義することができる。ここには、図２４に示した時刻情報メタデータを配置することができる。
【０３６４】
以上のように、時刻情報メタデータを伝送するための伝送フォーマットとして、BBP拡張ヘッダ伝送方式を用いて、時刻情報メタデータが、BBP拡張ヘッダに配置されて伝送されるようにすることで、受信装置２０（図１）においては、BBP拡張ヘッダに配置される時刻情報メタデータが抽出されるので、当該時刻情報メタデータに基づいて、時刻情報モードに応じた時刻情報処理を行うことが可能となる。
【０３６５】
（Ｆ）L1シグナリング伝送方式
最後に、図３７を参照して、L1シグナリング伝送方式について説明する。このL1シグナリング伝送方式においては、L1シグナリングの本体を利用して、時刻情報メタデータを伝送する。
【０３６６】
図３７において、物理層フレームは、ブートストラップ（BS：Bootstrap）と、プリアンブル（Preamble）と、データ部（Data）から構成される。
【０３６７】
ここで、L1シグナリング伝送方式では、図中の枠Ａで囲まれたブートストラップ又はプリアンブルに、L1シグナリングとしての時刻情報メタデータが配置される。ここには、図２４に示した時刻情報メタデータを配置することができる。
【０３６８】
なお、ここでは、図２４の時刻情報メタデータそのものを、L1シグナリングとして、物理層フレームのブートストラップ又はプリアンブルに配置するようにしてもよいし、あるいは、ブートストラップ又はプリアンブルに配置されているL1シグナリング（例えば、L1-postシグナリング）に、図２４の時刻情報メタデータを含めるようにしてもよい。
【０３６９】
以上のように、時刻情報メタデータを伝送するための伝送フォーマットとして、L1シグナリング伝送方式を用いて、時刻情報メタデータが、L1シグナリングの本体に配置されて伝送されるようにすることで、受信装置２０（図１）においては、L1シグナリングの本体に配置される時刻情報メタデータが抽出されるので、当該時刻情報メタデータに基づいて、時刻情報モードに応じた時刻情報処理を行うことが可能となる。
【０３７０】
＜４．各装置で実行される処理の流れ＞
【０３７１】
次に、図３８及び図３９のフローチャートを参照して、図１の伝送システム１を構成する送信装置１０と受信装置２０で実行されるデータ処理の流れについて説明する。
【０３７２】
（送信側データ処理）
まず、図３８のフローチャートを参照して、図１の送信装置１０により実行される送信側データ処理の流れについて説明する。
【０３７３】
ステップＳ１０１においては、コンポーネント処理部１１１乃至パケット処理部１１４によって、データ処理が行われる。
【０３７４】
このデータ処理では、コンポーネント処理部１１１によって、コンポーネントのデータが処理される。また、ESG処理部１１２によって、ESGのデータが処理される。さらに、処理部１１３においては、シグナリング処理部１２１によるシグナリングのデータに対する処理と、時刻情報処理部１２２による時刻情報又は時刻情報メタデータに対する処理（例えば、図１２乃至図１８に示した送信側の処理）が行われる。そして、パケット処理部１１４によって、処理されたデータがパケットに格納される。
【０３７５】
ステップＳ１０２において、変調処理部１１５は、ステップＳ１０１で処理されたデータに対して、変調処理を行う。
【０３７６】
ステップＳ１０３において、送信部１１６は、ステップＳ１０２の処理で得られる信号を、アンテナ１３１を介して、デジタル放送信号として送信する。
【０３７７】
以上、送信側データ処理の流れについて説明した。
【０３７８】
（受信側データ処理）
次に、図３９のフローチャートを参照して、図１の受信装置２０により実行される受信側データ処理の流れについて説明する。
【０３７９】
ステップＳ２０１において、受信部２１１は、アンテナ２３１を介して、送信装置１０から送信されてくるデジタル放送信号を受信する。
【０３８０】
ステップＳ２０２において、復調処理部２１２は、ステップＳ２０１で処理された信号に対して、復調処理を行う。
【０３８１】
ステップＳ２０３においては、処理部２１３乃至ESG処理部２１６によって、ステップＳ２０２で処理されたデータが処理される。
【０３８２】
このデータ処理では、パケット処理部２１４によって、パケットが処理される。また、処理部２１３においては、シグナリング処理部２２１によるシグナリングのデータに対する処理と、時刻情報処理部２２２による時刻情報又は時刻情報メタデータに対する処理（例えば、図１２乃至図１８に示した受信側の処理）が行われる。さらに、コンポーネント処理部２１５によって、コンポーネントのデータが処理され、ESG処理部２１６によって、ESGのデータが処理される。
【０３８３】
以上、受信側データ処理の流れについて説明した。
【０３８４】
＜５．変形例＞
【０３８５】
上述した説明としては、デジタル放送の規格として、米国等で採用されている方式であるATSC（特に、ATSC3.0）を説明したが、本技術は、日本等が採用する方式であるISDB(Integrated Services Digital Broadcasting)や、欧州の各国等が採用する方式であるDVB(Digital Video Broadcasting)などに適用するようにしてもよい。また、上述した説明では、IP伝送方式が採用されるATSC3.0を例にして説明したが、IP伝送方式に限らず、例えば、MPEG2-TS(Transport Stream)方式等の他の方式に適用するようにしてもよい。
【０３８６】
また、その場合において、デジタル放送としては、地上波放送のほか、BS(Broadcasting Satellite)やCS(Communications Satellite)等の衛星放送や、ケーブルテレビ（CATV）等の有線放送などに適用することができる。
【０３８７】
また、上述したシグナリングやパケットなどの名称は、一例であって、他の名称が用いられる場合がある。ただし、これらの名称の違いは、形式的な違いであって、対象のシグナリングやパケットなどの実質的な内容が異なるものではない。例えば、BBP(Baseband Packet)は、BBS(Baseband Stream)などと称される場合がある。また、ESG(Electronic Service Guide)は、EPG(Electronic Program Guide)と称される場合がある。なお、上述したコンテンツには、動画や音楽のほか、例えば、電子書籍やゲーム、広告など、あらゆるコンテンツを含めることができる。
【０３８８】
また、上述した説明では、時刻情報として、UTCやPTP、ローカル時刻で規定される時刻の情報を中心に説明したが、それに限らず、例えば、NTP(Network Time Protocol)や3GPP(Third Generation Partnership Project)で規定されている時刻の情報や、GPS(Global Positioning System)情報に含まれる時刻の情報、その他独自に決定された形式の時刻の情報等の任意の時刻の情報を用いることができる。
【０３８９】
また、本技術は、伝送路として、放送網以外の伝送路、すなわち、例えば、インターネットや電話網等の通信回線（通信網）などを利用することを想定して規定されている所定の規格（放送規格以外の規格）などにも適用することができる。その場合には、伝送システム１（図１）の伝送路３０として、インターネットや電話網などの通信回線が利用され、送信装置１０は、インターネット上に設けられたサーバとすることができる。そして、受信装置２０が通信機能を有するようにすることで、送信装置１０は、受信装置２０からの要求に応じて、処理を行うことになる。また、受信装置２０は、送信装置１０（サーバ）から伝送路３０（通信回線）を介して送信されてくるデータを処理する。
【０３９０】
＜６．コンピュータの構成＞
【０３９１】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図４０は、上述した一連の処理をプログラムにより実行するコンピュータのハードウェアの構成例を示す図である。
【０３９２】
コンピュータ９００において、CPU(Central Processing Unit)９０１，ROM(Read Only Memory)９０２，RAM(Random Access Memory)９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０３９３】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０３９４】
以上のように構成されるコンピュータ９００では、CPU９０１が、ROM９０２や記録部９０８に記録されているプログラムを、入出力インターフェース９０５及びバス９０４を介して、RAM９０３にロードして実行することにより、上述した一連の処理が行われる。
【０３９５】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０３９６】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０３９７】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０３９８】
なお、本技術の実施の形態は、上述した実施の形態に限定されるものではなく、本技術の要旨を逸脱しない範囲において種々の変更が可能である。
【０３９９】
また、本技術は、以下のような構成をとることができる。
【０４００】
（１）
複数の時刻情報に対応したモードに応じた時刻情報に関する処理を行うための情報を含むメタデータを受信する受信部と、
前記メタデータに基づいて、前記時刻情報に関する処理を行う処理部と
を備える受信装置。
（２）
前記メタデータは、前記モードに応じて、不連続となる時刻情報を、連続した時刻情報に補正するための情報を含み、
前記処理部は、前記メタデータに基づいて、不連続となる時刻情報を、連続した時刻情報に補正する
（１）に記載の受信装置。
（３）
前記メタデータは、前記モードに応じて、基準となる基準時刻と、不連続となる不連続時刻とのオフセット値を含む
（２）に記載の受信装置。
（４）
前記メタデータは、前記モードに応じて、次に時刻が不連続になる日付及び時刻、並びに次に不連続になる時刻の変化量を含む
（３）に記載の受信装置。
（５）
前記不連続となる時刻情報は、うるう秒又は夏時間（DST：Daylight Saving Time）であって、
前記複数の時刻情報は、UTC(Coordinated Universal Time)、PTP(Precision Time Protocol)、又はローカル時刻のいずれかを少なくとも含む
（２）乃至（４）のいずれかに記載の受信装置。
（６）
前記モードが、UTCに対応したモードである場合、前記オフセット値は、基準時刻とUTCとのオフセット値であって、うるう秒の積算値を表しており、
前記処理部は、前記オフセット値に応じて、うるう秒を補正する
（５）に記載の受信装置。
（７）
前記モードが、PTPに対応したモードである場合、前記オフセット値は、PTPをUTCに変換するためのオフセット値であり、
前記処理部は、前記オフセット値に応じて、PTPをUTCに変換する
（５）又は（６）に記載の受信装置。
（８）
前記モードが、ローカル時刻に対応したモードである場合、前記オフセット値は、基準時刻とローカル時刻とのオフセット値であって、うるう秒の積算値と、夏時間（DST）の変動値とを加算した値を表しており、
前記処理部は、前記オフセット値に応じて、うるう秒と夏時間（DST）を補正する
（５）乃至（７）のいずれかに記載の受信装置。
（９）
前記メタデータは、コンポーネント又は電子番組表のタイムゾーン情報を含み、
前記処理部は、前記コンポーネント又は前記電子番組表のタイムゾーン情報に応じて、前記コンポーネント又は前記電子番組表のタイムゾーンを補正する
（１）乃至（８）のいずれかに記載の受信装置。
（１０）
前記メタデータを含む放送ストリームは、IP(Internet Protocol)伝送方式に対応した放送ストリームであって、
前記メタデータは、UDP(User Datagram Protocol)パケットを含むIPパケットに含まれる記述子、前記IPパケットを伝送するための第１の伝送パケットの拡張ヘッダ、前記第１の伝送パケットを伝送するための第２の伝送パケットの拡張ヘッダ、前記第１の伝送パケットに含まれるシグナリング、前記シグナリングのヘッダ、又は、物理層フレームに付加されている
（１）乃至（９）のいずれかに記載の受信装置。
（１１）
受信装置のデータ処理方法において、
前記受信装置が、
複数の時刻情報に対応したモードに応じた時刻情報に関する処理を行うための情報を含むメタデータを受信し、
前記メタデータに基づいて、前記時刻情報に関する処理を行う
ステップを含むデータ処理方法。
（１２）
複数の時刻情報に対応したモードに応じた時刻情報に関する処理を行うための情報を含むメタデータを生成する生成部と、
前記メタデータを送信する送信部と
送信装置。
（１３）
前記メタデータは、前記モードに応じて、不連続となる時刻情報を、連続した時刻情報に補正するための情報を含む
（１２）に記載の送信装置。
（１４）
前記メタデータは、前記モードに応じて、基準となる基準時刻と、不連続となる不連続時刻とのオフセット値を含む
（１３）に記載の送信装置。
（１５）
前記不連続となる時刻情報は、うるう秒又は夏時間（DST）であって、
前記複数の時刻情報は、UTC、PTP、又はローカル時刻のいずれかを少なくとも含む
（１３）又は（１４）に記載の送信装置。
（１６）
前記モードが、UTCに対応したモードである場合、前記オフセット値は、基準時刻とUTCとのオフセット値であって、うるう秒の積算値を表し、
前記モードが、PTPに対応したモードである場合、前記オフセット値は、PTPをUTCに変換するためのオフセット値であり、
前記モードが、ローカル時刻に対応したモードである場合、前記オフセット値は、基準時刻とローカル時刻とのオフセット値であって、うるう秒の積算値と、夏時間（DST）の変動値とを加算した値を表している
（１５）に記載の送信装置。
（１７）
前記メタデータを含む放送ストリームは、IP伝送方式に対応した放送ストリームであって、
前記メタデータは、UDPパケットを含むIPパケットに含まれる記述子、前記IPパケットを伝送するための第１の伝送パケットの拡張ヘッダ、前記第１の伝送パケットを伝送するための第２の伝送パケットの拡張ヘッダ、前記第１の伝送パケットに含まれるシグナリング、前記シグナリングのヘッダ、又は、物理層フレームに付加されている
（１２）乃至（１６）のいずれかに記載の送信装置。
（１８）
送信装置のデータ処理方法において、
前記送信装置が、
複数の時刻情報に対応したモードに応じた時刻情報に関する処理を行うための情報を含むメタデータを生成し、
前記メタデータを送信する
ステップを含むデータ処理方法。
（１９）
複数の時刻情報に対応したモードに応じた時刻情報に関する処理を行うための情報を含むメタデータであって、うるう秒の挿入又は削除を示すフラグを含む前記メタデータを受信する受信部と、
前記フラグに応じた値をカウントするカウンタと、
前記カウンタの値に応じて、前記時刻情報のうるう秒を補正する処理部と
を備える受信装置。
（２０）
カウンタを有する受信装置のデータ処理方法において、
前記受信装置が、
複数の時刻情報に対応したモードに応じた時刻情報に関する処理を行うための情報を含むメタデータであって、うるう秒の挿入又は削除を示すフラグを含む前記メタデータを受信し、
前記カウンタによって、前記フラグに応じた値をカウントし、
前記カウンタの値に応じて、前記時刻情報のうるう秒を補正する
ステップを含むデータ処理方法。
【符号の説明】
【０４０１】
１  伝送システム，  １０  送信装置，  ２０  受信装置，  ３０  伝送路，  １１１  コンポーネント処理部，  １１２  ESG処理部，  １１３  処理部，  １１４  パケット処理部，  １１５  変調処理部，  １１６  送信部，  １２１  シグナリング処理部，  １２２  時刻情報処理部，  １５１  時刻情報変換部，  ２１１  受信部，  ２１２  復調処理部，  ２１３  処理部，  ２１４  パケット処理部，  ２１５  コンポーネント処理部，  ２１６  ESG処理部，  ２１７  出力部，  ２２１  シグナリング処理部，  ２２２  時刻情報処理部，  ２２２Ａ  内部カウンタ，  ２５１  クロック同期部，  ２５２  提示同期部，  ２５３  時刻・ESG表示処理部，  ２５４  コンポーネントタイムゾーン補正部，  ２５５  ESGタイムゾーン補正部，  ９００  コンピュータ，  ９０１  CPU
【図１】
2017065021.tif 000003
【図２】
2017065021.tif 000004
【図３】
2017065021.tif 000005
【図４】
2017065021.tif 000006
【図５】
2017065021.tif 000007
【図６】
2017065021.tif 000008
【図７】
2017065021.tif 000009
【図８】
2017065021.tif 000010
【図９】
2017065021.tif 000011
【図１０】
2017065021.tif 000012
【図１１】
2017065021.tif 000013
【図１２】
2017065021.tif 000014
【図１３】
2017065021.tif 000015
【図１４】
2017065021.tif 000016
【図１５】
2017065021.tif 000017
【図１６】
2017065021.tif 000018
【図１７】
2017065021.tif 000019
【図１８】
2017065021.tif 000020
【図１９】
2017065021.tif 000021
【図２０】
2017065021.tif 000022
【図２１】
2017065021.tif 000023
【図２２】
2017065021.tif 000024
【図２３】
2017065021.tif 000025
【図２４】
2017065021.tif 000026
【図２５】
2017065021.tif 000027
【図２６】
2017065021.tif 000028
【図２７】
2017065021.tif 000029
【図２８】
2017065021.tif 000030
【図２９】
2017065021.tif 000031
【図３０】
2017065021.tif 000032
【図３１】
2017065021.tif 000033
【図３２】
2017065021.tif 000034
【図３３】
2017065021.tif 000035
【図３４】
2017065021.tif 000036
【図３５】
2017065021.tif 000037
【図３６】
2017065021.tif 000038
【図３７】
2017065021.tif 000039
【図３８】
2017065021.tif 000040
【図３９】
2017065021.tif 000041
【図４０】
2017065021.tif 000042
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
複数の時刻情報に対応したモードに応じた時刻情報に関する処理を行うための情報を含むメタデータを受信する受信部と、
前記メタデータに基づいて、前記時刻情報に関する処理を行う処理部と
を備え、
前記メタデータは、
前記モードに応じて、不連続となる時刻情報を、連続した時刻情報に補正するための情報と、
前記モードに応じて、基準となる基準時刻と、不連続となる不連続時刻とのオフセット値と、
前記モードに応じて、次に時刻が不連続になる日付及び時刻、並びに次に不連続になる時刻の変化量と
を含み、
前記処理部は、前記メタデータに基づいて、不連続となる時刻情報を、連続した時刻情報に補正する
受信装置。
【請求項２】
（削除）
【請求項３】
（削除）
【請求項４】
（削除）
【請求項５】
前記不連続となる時刻情報は、うるう秒又は夏時間（ＤＳＴ：Ｄａｙｌｉｇｈｔ  Ｓａｖｉｎｇ  Ｔｉｍｅ）であって、
前記複数の時刻情報は、ＵＴＣ（Ｃｏｏｒｄｉｎａｔｅｄ  Ｕｎｉｖｅｒｓａｌ  Ｔｉｍｅ）、ＰＴＰ（Ｐｒｅｃｉｓｉｏｎ  Ｔｉｍｅ  Ｐｒｏｔｏｃｏｌ）、又はローカル時刻のいずれかを少なくとも含む
請求項１に記載の受信装置。
【請求項６】
前記モードが、ＵＴＣに対応したモードである場合、前記オフセット値は、基準時刻とＵＴＣとのオフセット値であって、うるう秒の積算値を表しており、
前記処理部は、前記オフセット値に応じて、うるう秒を補正する
請求項５に記載の受信装置。
【請求項７】
前記モードが、ＰＴＰに対応したモードである場合、前記オフセット値は、ＰＴＰをＵＴＣに変換するためのオフセット値であり、
前記処理部は、前記オフセット値に応じて、ＰＴＰをＵＴＣに変換する
請求項５に記載の受信装置。
【請求項８】
前記モードが、ローカル時刻に対応したモードである場合、前記オフセット値は、基準時刻とローカル時刻とのオフセット値であって、うるう秒の積算値と、夏時間（ＤＳＴ）の変動値とを加算した値を表しており、
前記処理部は、前記オフセット値に応じて、うるう秒と夏時間（ＤＳＴ）を補正する
請求項５に記載の受信装置。
【請求項９】
前記メタデータは、コンポーネント又は電子番組表のタイムゾーン情報を含み、
前記処理部は、前記コンポーネント又は前記電子番組表のタイムゾーン情報に応じて、前記コンポーネント又は前記電子番組表のタイムゾーンを補正する
請求項１に記載の受信装置。
【請求項１０】
前記メタデータを含む放送ストリームは、ＩＰ（Ｉｎｔｅｒｎｅｔ  Ｐｒｏｔｏｃｏｌ）伝送方式に対応した放送ストリームであって、
前記メタデータは、ＵＤＰ（Ｕｓｅｒ  Ｄａｔａｇｒａｍ  Ｐｒｏｔｏｃｏｌ）パケットを含むＩＰパケットに含まれる記述子、前記ＩＰパケットを伝送するための第１の伝送パケットの拡張ヘッダ、前記第１の伝送パケットを伝送するための第２の伝送パケットの拡張ヘッダ、前記第１の伝送パケットに含まれるシグナリング、前記シグナリングのヘッダ、又は、物理層フレームに付加されている
請求項１に記載の受信装置。
【請求項１１】
受信装置のデータ処理方法において、
前記受信装置が、
複数の時刻情報に対応したモードに応じた時刻情報に関する処理を行うための情報を含むメタデータを受信し、
前記メタデータに基づいて、前記時刻情報に関する処理を行う
ステップを含み、
前記メタデータは、
前記モードに応じて、不連続となる時刻情報を、連続した時刻情報に補正するための情報と、
前記モードに応じて、基準となる基準時刻と、不連続となる不連続時刻とのオフセット値と、
前記モードに応じて、次に時刻が不連続になる日付及び時刻、並びに次に不連続になる時刻の変化量と
を含み、
前記メタデータに基づいて、不連続となる時刻情報を、連続した時刻情報に補正するステップをさらに含む
データ処理方法。
【請求項１２】
複数の時刻情報に対応したモードに応じた時刻情報に関する処理を行うための情報を含むメタデータを生成する生成部と、
前記メタデータを送信する送信部と
を備え、
前記メタデータは、
前記モードに応じて、不連続となる時刻情報を、連続した時刻情報に補正するための情報と、
前記モードに応じて、基準となる基準時刻と、不連続となる不連続時刻とのオフセット値と、
前記モードに応じて、次に時刻が不連続になる日付及び時刻、並びに次に不連続になる時刻の変化量と
を含む
送信装置。
【請求項１３】
（削除）
【請求項１４】
（削除）
【請求項１５】
前記不連続となる時刻情報は、うるう秒又は夏時間（ＤＳＴ）であって、
前記複数の時刻情報は、ＵＴＣ、ＰＴＰ、又はローカル時刻のいずれかを少なくとも含む
請求項１２に記載の送信装置。
【請求項１６】
前記モードが、ＵＴＣに対応したモードである場合、前記オフセット値は、基準時刻とＵＴＣとのオフセット値であって、うるう秒の積算値を表し、
前記モードが、ＰＴＰに対応したモードである場合、前記オフセット値は、ＰＴＰをＵＴＣに変換するためのオフセット値であり、
前記モードが、ローカル時刻に対応したモードである場合、前記オフセット値は、基準時刻とローカル時刻とのオフセット値であって、うるう秒の積算値と、夏時間（ＤＳＴ）の変動値とを加算した値を表している
請求項１５に記載の送信装置。
【請求項１７】
前記メタデータを含む放送ストリームは、ＩＰ伝送方式に対応した放送ストリームであって、
前記メタデータは、ＵＤＰパケットを含むＩＰパケットに含まれる記述子、前記ＩＰパケットを伝送するための第１の伝送パケットの拡張ヘッダ、前記第１の伝送パケットを伝送するための第２の伝送パケットの拡張ヘッダ、前記第１の伝送パケットに含まれるシグナリング、前記シグナリングのヘッダ、又は、物理層フレームに付加されている
請求項１２に記載の送信装置。
【請求項１８】
送信装置のデータ処理方法において、
前記送信装置が、
複数の時刻情報に対応したモードに応じた時刻情報に関する処理を行うための情報を含むメタデータを生成し、
前記メタデータを送信する
ステップを含み、
前記メタデータは、
前記モードに応じて、不連続となる時刻情報を、連続した時刻情報に補正するための情報と、
前記モードに応じて、基準となる基準時刻と、不連続となる不連続時刻とのオフセット値と、
前記モードに応じて、次に時刻が不連続になる日付及び時刻、並びに次に不連続になる時刻の変化量と
を含む
データ処理方法。
【請求項１９】
複数の時刻情報に対応したモードに応じた時刻情報に関する処理を行うための情報を含むメタデータであって、うるう秒の挿入又は削除を示すフラグを含む前記メタデータを受信する受信部と、
前記フラグに応じた値をカウントするカウンタと、
前記カウンタの値に応じて、前記時刻情報のうるう秒を補正する処理部と
を備える受信装置。
【請求項２０】
カウンタを有する受信装置のデータ処理方法において、
前記受信装置が、
複数の時刻情報に対応したモードに応じた時刻情報に関する処理を行うための情報を含むメタデータであって、うるう秒の挿入又は削除を示すフラグを含む前記メタデータを受信し、
前記カウンタによって、前記フラグに応じた値をカウントし、
前記カウンタの値に応じて、前記時刻情報のうるう秒を補正する
ステップを含むデータ処理方法。
【国際調査報告】
2017065021.tif 000043
2017065021.tif 000044
2017065021.tif 000045
2017065021.tif 000046